(57)【特許請求の範囲】
【請求項１】
コンピュータで実行される方法であって、対象とする視聴者のためのメディアコンテンツをカスタマイズする方法であって、
プロセッサが、複数のメディアセグメントから形成されるメディアコンテンツを作成するステップであって、前記メディアコンテンツが前記メディアセグメントに関連する質問又はオプションの形式の意味的判定基準に従って作成される、ステップと、
前記プロセッサが、第１の視聴者に対する提示のために、前記メディアコンテンツをウエブサイトにのみ配置するステップと、
前記プロセッサが、前記ウエブサイトのウエブコンテンツを監視し、前記ウエブサイトに配置された前記メディアコンテンツに関連するフィードバックを前記ウエブサイトから得るステップと、
前記プロセッサが、前記フィードバックに基づいて、前記メディアコンテンツの少なくとも１つの変更されたバージョンを作成するステップと、
前記プロセッサが、前記メディアコンテンツの前記少なくとも１つの変更されたバージョンをテレビジョンネットワークを介して前記対象とする視聴者へ配布するステップと
を含み、
前記メディアコンテンツの少なくとも１つの変更されたバージョンを作成するステップは、前記フィードバックの少なくとも部分に基づいて前記メディアコンテンツの前記少なくとも１つのバージョンのコストを最適化することを含み、前記最適化は、前記コストを動的に計算し、前記コストに基づいてリソースをシフトすることを含み、
前記フィードバックの少なくとも部分に基づいて前記メディアコンテンツの前記少なくとも１つのバージョンのコストを最適化することは、
ディジタルライブラリから置換メディアセグメントを検索し、予め挿入されたメディアセグメントを、より安価な製造コストを有する前記置換メディアセグメントで置き換えることを含むことを特徴とする方法。
【請求項２】
前記フィードバックは、再生オペレーション、コメント、前記メディアコンテンツへのリンクの生成、前記メディアコンテンツへのリンクの送信、及び前記メディアコンテンツのウェブサイトへの組み込みからなるグループから選択される
ことを特徴とする請求項１に記載の方法。
【請求項３】
前記メディアコンテンツの少なくとも１つの変更されたバージョンを作成するステップは、プログラムされたラインナップにおける前記メディアコンテンツの前記少なくとも１つの変更されたバージョンの配置を変更することを含むことを特徴とする請求項１に記載の方法。
【請求項４】
前記メディアコンテンツの少なくとも１つの変更されたバージョンを作成するステップは、ディジタルライブラリから置換メディアセグメントを検索し、予め挿入されたメディアセグメントを再配置し、前記メディアコンテンツの第２のバージョンを作成すること含む請求項１に記載の方法。
【請求項５】
前記より安価な製造コストは、前記メディアセグメントで実行される軽減された補償によるものであることを特徴とする請求項１に記載の方法。
【請求項６】
前記ウエブサイトは、前記ウエブサイトに関連する人口統計データと前記対象とする視聴者の人口統計データとの照合に基づいて選択されることを特徴とする請求項１に記載の方法。
【請求項７】
前記メディアコンテンツの前記少なくとも１つのバージョンを配置するための、推奨されるネットワーク位置リストをユーザに提供することを更に含む請求項１に記載の方法。
【請求項８】
前記テレビジョンネットワークは、ケーブルサービスプロバイダ、ブロードキャストテレビジョンプロバイダ、及び人工衛星サービスプロバイダからなるグループから選択されることを特徴とする請求項１に記載の方法。
【請求項９】
コンピュータによって実行されたとき、対象とする視聴者のためのメディアコンテンツをカスタマイズする方法を前記コンピュータに実施させる、非一時的な（non-transitory）コンピュータ読み取り可能媒体であって、
複数のメディアセグメントから形成されるメディアコンテンツを作成するステップであって、前記メディアコンテンツが前記メディアセグメントに関連する質問又はオプションの形式の意味的判定基準に従って作成される、ステップと、
第１の視聴者に対する提示のために、前記メディアコンテンツをウエブサイトにのみ配置するステップと、
前記ウエブサイトのウエブコンテンツを監視し、前記ウエブサイトに配置された前記メディアコンテンツに関連するフィードバックを前記ウエブサイトから得るステップと、
フィードバックに基づいて、前記メディアコンテンツの少なくとも１つの変更されたバージョンを作成するステップと、
前記メディアコンテンツの前記少なくとも１つの変更されたバージョンをテレビジョンネットワークを介して前記対象とする視聴者へ配布するステップと
を含み、
前記メディアコンテンツの少なくとも１つの変更されたバージョンを作成するステップは、前記フィードバックの少なくとも部分に基づいて前記メディアコンテンツの前記少なくとも１つのバージョンのコストを最適化することを含み、前記最適化は、前記コストを動的に計算し、前記コストに基づいてリソースをシフトすることを含み、
前記フィードバックの少なくとも部分に基づいて前記メディアコンテンツの前記少なくとも１つのバージョンのコストを最適化することは、
ディジタルライブラリから置換メディアセグメントを検索し、予め挿入されたメディアセグメントを、より安価な製造コストを有する前記置換メディアセグメントで置き換えることを含むことを特徴とする媒体。
【請求項１０】
前記フィードバックは、再生オペレーション、コメント、前記メディアコンテンツへのリンクの生成、前記メディアコンテンツへのリンクの送信、及び前記メディアコンテンツのウェブサイトへの組み込みからなるグループから選択されることを特徴とする請求項９に記載の媒体。
【請求項１１】
前記メディアコンテンツの少なくとも１つの変更されたバージョンを作成するステップは、プログラムされたラインナップにおける前記メディアコンテンツの前記少なくとも１つの変更されたバージョンの配置を変更することを含むことを特徴とする請求項９に記載の媒体。
【請求項１２】
前記メディアコンテンツの少なくとも１つの変更されたバージョンを作成するステップは、ディジタルライブラリから置換メディアセグメントを検索し、予め挿入されたメディアセグメントを再配置し、前記メディアコンテンツの第２のバージョンを作成すること含む請求項９に記載の媒体。
【請求項１３】
前記より安価な製造コストは、前記メディアセグメントで実行される軽減された補償によるものであることを特徴とする請求項９に記載の媒体。
【請求項１４】
前記ウエブサイトは、前記ウエブサイトに関連する人口統計データと前記対象とする視聴者の人口統計データとの照合に基づいて選択されることを特徴とする請求項９に記載の媒体。
【請求項１５】
前記メディアコンテンツの前記少なくとも１つのバージョンを配置するための、推奨されるネットワーク位置リストをユーザに提供することを更に含む請求項９に記載の媒体。
【請求項１６】
前記テレビジョンネットワ−クは、ケーブルサービスプロバイダ、ブロードキャストテレビジョンプロバイダ、及び人工衛星サービスプロバイダからなるグループから選択されることを特徴とする請求項９に記載の媒体。
【発明の詳細な説明】
【技術分野】
【０００１】
［関連出願の相互参照］
本出願は、２００６年６月８日に出願された、米国特許出願第１１／４４９，２９９号の一部継続出願であり、２００５年６月８日に出願された、米国特許仮出願第６０／６８８，６１２号の利益を主張し、それらの全体において本願明細書において本願明細書に引用したものとする。本出願は、さらに２０００年４月７日に出願の米国特許出願第０９／５４５５２４号の一部継続出願であり、全体として本願明細書において本願明細書に引用したものとする。
【０００２】
本発明は、メディア生成および編集の分野に、および、特に意味的判定基準を使用したメディアコンテンツの生成、カスタム化および配布のためのシステム及び方法の方に関する。
【背景技術】
【０００３】
メディアコンテンツは、コンテンツをターゲット視聴者によって、視聴されるか、聴かれるかまたはさもなければ受信されるようにする目的で生成される。ターゲット視聴者は例えば、全世界、単一の国、領域、都市、近隣または特定の個人でさえありえる。しかしながら、所望のコンテンツを配信して、それを所望の視聴者に焦点をしぼることは、困難なプロセスである。どの消費者がメディアコンテンツの特定の部分を受信するか制御することは、しばしば困難である。結果として、コンテンツのディストリビュータまたは生成者は、要求されるより、より大きいかより小さな領域にそのコンテンツを供給しなければならないであろう。
【０００４】
例えば、販売会社および広告主は彼らのターゲット視聴者の購買習慣についてのパターンおよび傾向を特定するために人口統計学的解法に依存するようになった。販売会社および広告主は、彼らの市場に関する観測を生成し、個人を異なるタイプの商品に向け、広告のための適切なメディア購入物を選択するために得られた情報を使用する。ビデオ広告媒体−例えば郵送されるビデオテープ、インターネットビデオストリームまたは放送もしくはケーブル広告の場合において、ターゲット視聴者について利用できる情報を直接活用する、個人化されたバージョンの広告またはダイレクトマーケティング情報を生成する限られた手段があるだけである。このように、会社が彼らのターゲット視聴者についての相当な情報量を知っている場合であっても、この情報を活用する能力は放送メディアのファンダメンタルズによって限られており、したがって、同様なメッセージが全ての顧客に送信される必要がある。
【０００５】
別の例では、販売会社および／または広告主は汎用広告キャンペーンを生成することができる。親会社が汎用キャンペーンを販売会社および／または広告主から購入する場合、この会社は一般に、配布のために彼らの現地部門（例えば子会社組織）にこのキャンペーンを供給する。各現地部門は、一般的に、例えば、それぞれの市場に基づいて広告を修正するために別の広告代理業者を雇う。広告を修正するこのプロセスは高価なだけではなく、しかし、修正された広告が含むメッセージは親組織が要求した汎用キャンペーンから方向転換する場合がある。加えて、なされる変更は異なる現地部門によって別々に、および、したがって重複してなされるであろう。これは、コンテンツを生成して、配布する高価で無駄な方法である。
【発明の概要】
【発明が解決しようとする課題】
【０００６】
したがって、従来技術システムのこれらの、そして、他の欠陥を克服する、コンテンツ管理のためのシステム及び方法に対する要求が存在する。
【課題を解決するための手段】
【０００７】
本発明に従い、メディアコンテンツを生成して、カスタマイズしておよび／または配布するためのシステム及び方法が提供される。特に、ユーザがメディアコンテンツの編集を管理することができて、意味的判定基準および他の考慮事項に基づいてメディアコンテンツに関する判断を実行することができるシステム及び方法が、提供される。
【０００８】
一般的に、本発明によってユーザ（例えば広告主、販売会社、現地部門、親会社の子会社、ケーブルオペレータ、その他）がメディアコンテンツ管理アプリケーションに対してそれと特定のメタデータ特性（例えば男性、女性、未知の性別、郵便番号、車両のタイプ、年齢、人種、その他）を関連づけることができる意味的判定基準を提供することができる。例えば、意味的判定基準および／またはメタデータ特性はメディアコンテンツを対象とする視聴者と関連づけることができる。応答して、このアプリケーションはメタデータ特性を抜き出して、一つ以上のバージョンのメディアコンテンツ（例えば広告）を生成するために必要な機能を実行する。これらの一つ以上のバージョンのメディアコンテンツが、ユーザに与えられる。これは、Ａｖｉｄ  Ｔｅｃｈｎｏｌｏｇｙ社によって開発された編集ソフトウェア、アップルコンピューター社によって開発されたＦｉｎａｌ  Ｃｕｔ  Ｐｒｏ、Ｖｉｓｉｂｌｅ  Ｗｏｒｌｄによって開発されたｉｎｔｅｌｌｉＳｐｏｔまたは他のアセンブリソフトウェア、その他、のような、プロ用編集／アセンブリソフトウェアについての知識を有しないユーザによって実行されることができる。すなわち、意味的判定基準および／またはメタデータ特性を供給することに応答して、メディアコンテンツ管理アプリケーションは、これらのプロ用編集／アセンブリソフトウェアまたはソフトウェアパッケージの一つ以上を使用するかまたは、メタデータ特性に対応する一つ以上のバージョンのメディアコンテンツを生成するためにこれらのプロ用編集／アセンブリソフトウェアまたはソフトウェアパッケージまたは他のソフトウェアについての知識を有する別のユーザ（例えばＶｉｓｉｂｌｅ  Ｗｏｒｌｄ従業員）にこの情報を送信することができる。
【０００９】
プロ用編集／アセンブリソフトウェアは、ユーザが、ソフトウェアの編集ツールセット、同じく編集ポイント、メディアセグメントのシーケンス、オーディオセグメントがどのようにビデオセグメントと結合されるか、背景オーディオトラックがどのようにビデオセグメントと結合されるか、どのメディアセグメントがカスタマイズされ、および／または置き換えられることができるか、のようなメディアコンテンツの詳細、および、メディアコンテンツに関するその他の適切な詳細、をよく知っている必要がある。加えて、プロ用編集／アセンブリソフトウェアは、ユーザが編集／アセンブリソフトウェアによって呼び出されるデータベース構造、または、どのようにおよびどのメタデータがオーディオセグメント、ビデオセグメントまたはその他の適切なメディアセグメントと結合されたかを知っている必要がある。ユーザが意味的制御または意味的判定基準の形式の抽象化を与えられるので、メディアコンテンツ管理アプリケーションは、これらのプロ用編集／アセンブリソフトウェアパッケージのこれらの困難を回避する。意味的制御に応答して、この意味的制御がこれらのプロ用編集／アセンブリソフトウェアパッケージの１つによって実行されることができる機能に変換される。したがって、メディアコンテンツ管理アプリケーションのユーザはプロ用編集／アセンブリソフトウェアパッケージについての知識を有する必要がないか、またはメディアコンテンツ（例えば広告）がどのように集約されるかの知識を有する必要がない。加えて、メディアコンテンツ管理アプリケーションのユーザは、プロ用編集／アセンブリソフトウェアパッケージによってアクセスされるデータベースの構造、または、どのようにおよびどのメタデータがデータベース内に記憶されるメディアセグメントと関連づけられるか、についての知識を有する必要がない。
【００１０】
加えて、メディアコンテンツ管理アプリケーションによってユーザ（例えば広告主）がメディアプランニングおよび配置、動的処理、プロダクションおよびポストプロダクション、についての知識を有することなく、あるバージョンのメディアコンテンツを生成することができる。
【００１１】
ユーザおよび／またはメディアコンテンツ管理アプリケーションが、このバージョンのメディアコンテンツをアセンブルするデータベースまたは特別目的データベースを有する必要がない点に留意する必要がある。メディアコンテンツ管理アプリケーションは、適切なメディアセグメント（例えばオーディオの一部、ビデオの一部、背景オーディオ、ナレーション、イメージ、アニメーション、グラフィクス、その他）を備えたバージョンのメディアコンテンツを生成するために編集／アセンブリソフトウェアを使用し、かつ特別目的データベース（例えばユーザによって要求されないそれらのメディアセグメントを含む複数のメディアセグメントを備えたオブジェクト指向データベース）を有する、および／または維持する必要を伴わずに、ユーザにこのバージョンのメディアコンテンツを供給することによって、この困難を回避する。意味的判定基準および／またはメタデータ特性に関連があるメディアセグメントが、このバージョンのメディアコンテンツを生成するのに用いられる。
【００１２】
このアプリケーションを使用して、ユーザは完成したバージョンのメディアコンテンツを注文して、受け取ることができる。完成したバージョンは、任意の適切なメディア（例えば、ビデオテープ、ＤＶＤ、ＣＤ、ＭＰＥＧ−２フォーマット、ＭＰＥＧ−４フォーマット、標準解像度フォーマット、高解像度フォーマット、メディアフォーマット、メディア解像度、ダウンロード、その他）で配達ポイントに伝送されることができる。
【００１３】
メディアコンテンツ管理アプリケーションによって、ユーザがウェブコンテンツを監視するかまたはウェブページもしくはウェブサイトから情報を受信することによって、一つ以上のバージョンのメディアコンテンツに関する実時間フィードバックを受信することができる。ウェブサイト上に配置されたメディアコンテンツは、メディアコンテンツを放送する前にメディアコンテンツを試験するのに用いられることができる。いくつかの実施態様において、メディアコンテンツを放送して、その関連評価（例えばニールセン評価、フィードバック、その他）を観測することと対照的に、メディアコンテンツ管理アプリケーションによって、ユーザがウェブサイト上のメディアコンテンツを監視するかまたはウェブサイトからメディアコンテンツに関する情報を受信することによってフィードバックをすぐにかつ効率的に受け取ることができる。ウェブサイト上に配置されたメディアコンテンツから受信されたフィードバックに基づいて、メディアコンテンツ管理アプリケーションは、メディアコンテンツを放送する前に、アセンブルする前に、または放送の後、メディアコンテンツを調整する（例えば、コマーシャルを引き抜いて、そのコマーシャルの新バージョンを挿入する）ことができる。他の実施態様では、ウェブサイト上に配置されたメディアコンテンツから受信されたフィードバックに基づいて、メディアコンテンツ管理アプリケーションは、放送のために複数のバージョンのメディアコンテンツからこのバージョンのメディアコンテンツを選択することができる。
【００１４】
いくつかの実施態様において、メディアコンテンツ管理アプリケーションは、ウェブページまたはウェブサイト上の使用に適しているフォーマットに、複数のバージョンのメディアコンテンツのうちの少なくとも１つを変換することができる。メディアコンテンツ管理アプリケーションまたはメディアコンテンツ管理アプリケーションの方向を有する別のアプリケーションが、ウェブサイトに対して変換されたバージョンのメディアコンテンツを送信することができる。変換されたバージョンのメディアコンテンツに関するフィードバックが、ウェブサイトから受信される。フィードバックに少なくとも部分的に基づいて、メディアコンテンツ管理アプリケーションが、放送のために複数のバージョンのメディアコンテンツのうち１つを選択することができる。
【００１５】
いくつかの実施態様において、フィードバックは、例えば、ウェブサイトのユーザが、以下の動作、すなわち、変換されたバージョンのメディアコンテンツを通して早送りした、変換されたバージョンのメディアコンテンツを巻き戻した、変換されたバージョンのメディアコンテンツを一時中断した、変換されたバージョンのメディアコンテンツを特定の時間に一時中断した、変換されたバージョンのメディアコンテンツをリプレイした、変換されたバージョンのメディアコンテンツを特定の時間の間、再生した、変換されたバージョンのメディアコンテンツに対するリンクを生成した、および、変換されたバージョンのメディアコンテンツに対するリンクを別のユーザに送信した、のうち少なくとも一つを、実行したという情報を含むことができる。
【００１６】
いくつかの実施態様において、このフォーマットは、例えば、ウィンドウズメディアフォーマット、先端ストリーミングフォーマット（ＡＳＦ）、ディジタルメディアフォーマットおよびストリーミングメディアフォーマット、を含むことができる。
【００１７】
いくつかの実施態様において、ウェブページまたはウェブサイトが、対象とする視聴者の人口統計データに、ウェブサイトと関連する人口統計データを突き合わせることに基づいて選択される。
【００１８】
いくつかの実施態様において、メディアコンテンツ管理アプリケーションが、変換されたバージョンのメディアコンテンツを配置するための推奨されたウェブページまたはウェブサイトのリストをユーザに供給することができる。
【００１９】
いくつかの実施態様において、受信されたフィードバックに少なくとも部分的に基づいて、メディアコンテンツ管理アプリケーションが、放送の前に放送テレビジョンのためにフォーマットされるバージョンのメディアコンテンツを調整することができる。
【００２０】
いくつかの実施態様において、メディアコンテンツ管理アプリケーションが、プログラムラインアップの中でこのバージョンのメディアコンテンツの配置を調整することができる。
【００２１】
いくつかの実施態様において、メディアコンテンツ管理アプリケーションが、受信されたフィードバックに少なくとも部分的に基づいて、このバージョンのメディアコンテンツを、特定の広告グループ、特定のタイムスロット、特定のテレビ番組、および、特定の人口統計データ、のうち少なくとも一つに、入れることによって、調整することができる。
【００２２】
いくつかの実施態様において、メディアコンテンツ管理アプリケーションが、受信されたフィードバックに少なくとも部分的に基づいて、このバージョンのメディアコンテンツの範囲内でメディアセグメントを修正することができる。メディアコンテンツ管理アプリケーションが、メッセージテンプレート内への挿入のためにデータベースから代替メディアセグメントを取り出すことができる。このバージョンのメディアコンテンツからの少なくとも一つのメディアセグメントが少なくとも一つの取り出された代替メディアセグメントに置き換えられることができる。メディアコンテンツ管理アプリケーションが、アセンブリソフトウェアパッケージを使用して更新されたバージョンのメディアコンテンツをアセンブルすることができる。
【００２３】
いくつかの実施態様において、メディアコンテンツ管理アプリケーションが、受信されたフィードバックに少なくとも部分的に基づいて、少なくとも一つのバージョンのメディアコンテンツのコストを最適化することができる。
【００２４】
このように、本発明のより重要な特徴があとに続くその詳細な説明がよりよく理解されることができるために、かつ、技術への本寄与がよりよく認められることができるために、むしろ概括的に、概説された。もちろん、以下に記載され、かつ本願明細書に添付される請求の範囲の主題を形成する本発明の追加的な特徴がある。
【００２５】
この点で、本発明の少なくとも一つの実施態様を詳細に説明する前に、本発明が構造の詳細に対するその適用に、および、以下の記述内に記載されるかまたは図面内に例示される構成要素の配置に限定されないことが、理解されよう。本発明は、他の実施態様であることができ、かつ、さまざまな方法で実践され実施されることが可能である。また、本願明細書において使用される語法および用語は説明の目的であって、限定するとみなされるべきでないことは、理解されよう。
【００２６】
このように、この開示が基づく概念が、本発明のいくつかの目的を実施するための他の構造物、方法およびシステムの設計のためのベースとして、容易に活用されることができることを、当業者は理解するであろう。したがって、それらが本発明の趣旨および範囲から逸脱しない限り、請求の範囲がこの種の等価な構造を含むとみなされることが、重要である。
【００２７】
本発明を特徴づける新規性のさまざまな特徴とともに、本発明の他の目的と共にこれらが、付加される請求の範囲内の詳細事項と共に指摘され、かつこの開示の一部を形成する。本発明、その使用によって獲得されるその動作利点および特定の目的のより良い理解のために、参照が、例示された本発明の好ましい実施態様が存在する添付の図面および記述内容になされるべきである。
【００２８】
本発明のさまざまな目的、特徴および利点は、本発明の以下の詳細な説明を参照して、以下の図面と関連して考慮されると、より完全に認識されることができ、そこにおいて同様な参照番号は同様な要素を識別する。
【図面の簡単な説明】
【００２９】
【図１】メディアコンテンツ管理アプリケーションが本発明のいくつかの実施態様に従って実現されることができる例証となるメディアコンテンツ管理システムの模式図である。
【図２】本発明のいくつかの実施態様に従って例えば図１内に与えられるような、例証となるワークステーションおよびサーバの模式図である。
【図３】本発明のいくつかの実施態様に従って提供されることができる例証となるホームスクリーンである。
【図４】本発明のいくつかの実施態様に従って提供されることができるメディアコンテンツをカスタマイズして、編集するためのオプションを有する例証となるカスタム化スクリーンである。
【図５】本発明のいくつかの実施態様に従って提供されることができる例証となるメッセージテンプレートである。
【図６】本発明のいくつかの実施態様に従って提供されることができるメディアデータベースのコンテンツの例証となる模式図である。
【図７】本発明のいくつかの実施態様に従って提供されることができる例証となるプランニングスクリーンである。
【図８】本発明のいくつかの実施態様に従って提供されることができる一つ以上のバージョンのメディアコンテンツを更にカスタマイズするためのオプションを有する例証となる承認スクリーンである。
【図９】本発明のいくつかの実施態様に従って提供されることができる一つ以上のバージョンのメディアコンテンツを更にカスタマイズするためのオプションを有する例証となる承認スクリーンである。
【図１０】本発明のいくつかの実施態様に従って提供されることができる一つ以上のバージョンのメディアコンテンツを更にカスタマイズするためのオプションを有する例証となる承認スクリーンである。
【図１１】本発明のいくつかの実施態様に従って提供されることができるメディアコンテンツのアセンブリ、生成および配達を注文するための例証となるスクリーンである。
【図１２】本発明のいくつかの実施態様に従って提供されることができるメディアコンテンツのアセンブリ、生成および配達を注文するための例証となるスクリーンである。
【図１３】本発明のいくつかの実施態様に従って提供されることができるメディアコンテンツのアセンブリ、生成および配達を注文するための例証となるスクリーンである。
【図１４】本発明のいくつかの実施態様に従って提供されることができるメディアコンテンツのアセンブリ、生成および配達を注文するための例証となるスクリーンである。
【発明を実施するための形態】
【００３０】
以下の記述は、多くの具体的な詳細を含む。この種の詳細の包含は、説明だけのためであって、本発明を限定するためと理解されるべきでない。さらに、公知技術である特定の特徴は、本発明の主題の複雑化を回避するために詳述されない。加えて、一実施態様における特徴が本発明の他の実施態様における特徴と組み合わせられることができることは、理解されよう。
【００３１】
本発明に従って、メディアコンテンツを生成して、カスタマイズしておよび／または配布するためのシステム及び方法が、提供される（以下に「メディアコンテンツ管理アプリケーション」または「アプリケーション」）。特に、ユーザがメディアコンテンツの編集を管理し、意味的判定基準および他の考慮事項に基づいてメディアコンテンツに関する判断をすることができるシステム及び方法が、提供される。
【００３２】
一般的に、本発明によってユーザ（例えば広告主、販売会社、現地部門、親会社の子会社、ケーブルオペレータ、その他）がこのアプリケーションに対してそれと特定のメタデータ特性（例えば男性、女性、未知の性別、郵便番号、車両のタイプ、年齢、人種、その他）を関連づけることができる意味的判定基準を提供することができる。例えば、意味的判定基準および／またはメタデータ特性はメディアコンテンツを対象とする視聴者と関連づけることができる。応答して、このアプリケーションはメタデータ特性を抜き出して、一つ以上のバージョンのメディアコンテンツ（例えば広告）を生成するために必要な機能を実行する。これらの一つ以上のバージョンのメディアコンテンツが、ユーザに与えられる。これは、Ａｖｉｄ  Ｔｅｃｈｎｏｌｏｇｙ社によって開発された編集ソフトウェア、アップルコンピューター社によって開発されたＦｉｎａｌ  Ｃｕｔ  Ｐｒｏ、Ｖｉｓｉｂｌｅ  Ｗｏｒｌｄによって開発されたｉｎｔｅｌｌｉＳｐｏｔまたは他のアセンブリソフトウェア、その他、のような、プロ用編集／アセンブリソフトウェアについての知識を有しないユーザによって実行されることができる。すなわち、意味的判定基準および／またはメタデータ特性を供給することに応答して、メディアコンテンツ管理アプリケーションは、これらのプロ用編集／アセンブリソフトウェアまたはソフトウェアパッケージの一つ以上を使用するかまたは、メタデータ特性に対応する一つ以上のバージョンのメディアコンテンツを生成するためにこれらのプロ用編集／アセンブリソフトウェアまたはソフトウェアパッケージについての知識を有する別のユーザにこの情報を送信することができる。
【００３３】
プロ用編集／アセンブリソフトウェアは、ユーザが、ソフトウェアの編集ツールセット、同じく編集ポイント、メディアセグメントのシーケンス、オーディオセグメントがどのようにビデオセグメントと結合されるか、背景オーディオトラックがどのようにビデオセグメントと結合されるか、どのメディアセグメントがカスタマイズされ、および／または置き換えられることができるか、のようなメディアコンテンツの詳細、および、メディアコンテンツに関するその他の適切な詳細、をよく知っている必要がある。加えて、プロ用編集／アセンブリソフトウェアは、ユーザが編集／アセンブリソフトウェアによって呼び出されるデータベース構造、または、どのようにおよびどのメタデータがオーディオセグメント、ビデオセグメントまたはその他の適切なメディアセグメントと結合されたかを知っている必要がある。ユーザが意味的制御または意味的判定基準の形式の抽象化を与えられるので、メディアコンテンツ管理アプリケーションはこれらのプロ用編集／アセンブリソフトウェアパッケージのこれらの困難を回避する。意味的制御に応答して、この意味的制御がこれらのプロ用編集／アセンブリソフトウェアパッケージの１つによって実行されることができる機能に変換される。したがって、メディアコンテンツ管理アプリケーションのユーザはプロ用編集／アセンブリソフトウェアパッケージについての知識を有する必要がないか、またはメディアコンテンツ（例えば広告）がどのように集約されるかの知識を有する必要がない。加えて、メディアコンテンツ管理アプリケーションのユーザは、プロ用編集／アセンブリソフトウェアパッケージによってアクセスされるデータベースの構造、または、どのようにおよびどのメタデータが、データベース内に記憶されるメディアセグメントと関連づけられるか、についての知識を有する必要がない。
【００３４】
加えて、メディアコンテンツ管理アプリケーションによってユーザ（例えば広告主）がメディアプランニングおよび配置、動的処理、プロダクションおよびポストプロダクション、についての知識を有することなく、あるバージョンのメディアコンテンツを生成することができる。
【００３５】
ユーザがこの一つ以上のバージョンのメディアコンテンツを生成するために必要とされる必要なメタデータ特性の全てを入力する必要がない点に留意する必要がある。例えば、ユーザは対象とする視聴者が郵便番号「１００２０」内に住むことを入力することができる。応答して、メディアコンテンツ管理アプリケーションは、ユーザが郵便番号「１００２０」内の対象とする視聴者に関するその他の情報を知っていることを要求しないかもしれない。メディアコンテンツ管理アプリケーションは、別の実体、データベースまたはその他の適切なソースから対象とする視聴者に対応するメタデータ特性を得ることができる。例えば、メディアコンテンツ管理アプリケーションは、対象とする視聴者が、６０％が男性および４０％が女性であり、８０％が１００，０００ドルを超える収入レベルを有し、および、６０％が白人であることを、入力された郵便番号「１００２０」から抽出することができる。
【００３６】
ユーザがこのバージョンのメディアコンテンツをアセンブルするデータベースまたは特別目的データベースを有する必要がないこともまた、留意されるべきである。メディアコンテンツ管理アプリケーションは、適切なメディアセグメント（例えばオーディオの一部、ビデオの一部、背景オーディオ、ナレーション、イメージ、アニメーション、グラフィクス、その他）を備えたバージョンのメディアコンテンツを生成するために編集／アセンブリソフトウェアを使用し、かつ特別目的データベース（例えばユーザによって要求されないそれらのメディアセグメントを含む複数のメディアセグメントを備えたオブジェクト指向データベース）を有する、および／または維持する必要を伴わずに、ユーザにそれを供給することによって、この困難を回避する。意味的判定基準および／またはメタデータ特性に関連があるメディアセグメントが、このバージョンのメディアコンテンツを生成するのに用いられる。
【００３７】
このアプリケーションを使用して、ユーザは完成したバージョンのメディアコンテンツを注文して、受け取ることができる。完成したバージョンは、任意の適切なメディア（例えば、ビデオテープ、ＤＶＤ、ＭＰＥＧ−２、ＭＰＥＧ−４、標準解像度、高解像度、ダウンロード、その他）で配達ポイントに伝送されることができる。
【００３８】
以下の図１−１４およびそれらの付随する記述は、本発明のシステム及び方法の実現の詳細な例を提供する。
【００３９】
図１は、メディアコンテンツ管理アプリケーションが本発明のいくつかの実施態様に従って実現されることができる例証となるメディアコンテンツ管理システム１００の一般化した模式図である。図示するように、システム１００は一つ以上のワークステーション１０２を含むことができる。ワークステーション１０２は、互いに局所的であるかまたは互いに遠隔であることができる。ワークステーション１０２は、一つ以上の通信リンク１０４によって通信ネットワーク１０６に接続され、通信ネットワーク１０６は、通信リンク１０８経由でサーバ１１０にリンクされる。
【００４０】
システム１００は、一つ以上のサーバ１１０を含むことができる。サーバ１１０は、プロセッサ、コンピュータ、データ処理デバイスまたはこの種のデバイスの組合せのような、メディアコンテンツ管理アプリケーションにアクセスを提供するための任意の適切なサーバであることができる。通信ネットワーク１０６は、インターネット、イントラネット、広域ネットワーク（「ＷＡＮ」）、ローカルエリアネットワーク（「ＬＡＮ」）、無線ネットワーク、ディジタル加入者線（「ＤＳＬ」）ネットワーク、フレームリレーネットワーク、非同期転送モード（「ＡＴＭ」）ネットワーク、仮想専用ネットワーク（「ＶＰＮ」）、またはこの種のネットワークのいずれかの任意の組合せを含む任意の適切なコンピューターネットワークであることができる。通信リンク１０４および１０８は、ネットワークリンク、ダイヤルアップリンク、無線リンク、有線接続リンク、その他の適切な通信リンク、またはこの種のリンクの組合せのような、ワークステーション１０２とサーバ１１０との間の通信データに適している任意の通信リンクであることができる。ワークステーション１０２は、ユーザがメディアコンテンツ管理アプリケーションの機能にアクセスすることを可能にする。ワークステーション１０２は、パーソナルコンピュータ、ラップトップコンピュータ、メインフレームコンピュータ、ダムターミナル、データディスプレイ、インターネットブラウザ、パーソナル携帯情報機器（「ＰＤＡ」）、双方向ページャ、無線端末、携帯電話機、その他の適切なアクセスデバイスまたはこの種のデバイスの任意の組合せであることができる。ワークステーション１０２およびサーバ１１０は、任意の適切な場所に設置されることができる。一実施態様において、ワークステーション１０２およびサーバ１１０はある組織内に設置されることができる。代わりとして、ワークステーション１０２およびサーバ１１０は複数の組織の間に分散されることができる。
【００４１】
図１内に表されるサーバとワークステーションの１つとが、図２内に更に詳細に例示される。図２を参照して、ワークステーション１０２は、プロセッサ２０２、ディスプレイ２０４、入力デバイス２０６およびメモリ２０８を含むことができ、それらは相互接続されることができる。好ましい実施態様において、メモリ２０８はプロセッサ２０２を制御するためのワークステーションプログラムを記憶するための記憶デバイスを含む。
【００４２】
プロセッサ２０２は、ディスプレイ２０４上に、通信リンク１０４を通して受信されるアプリケーションおよびデータならびにワークステーション１０２のユーザによって送信されるコマンドおよび値を表示するためにこのワークステーションプログラムを使用する。通信リンク１０４またはその他の通信リンクを通して受信されるデータが、ＷｅｂＳｅｒｖｉｃｅのような任意の適切なソースから受信されることができることもまた、留意されるべきである。入力デバイス２０６は、入力システムまたはプロセス制御システムの設計者によって使われるような、コンピュータキーボード、カーソルコントローラ、ダイヤル、ｓｗｉｔｃｈｂａｎｋ、レバーまたはその他の適切な入力デバイスであることができる。
【００４３】
サーバ１１０はプロセッサ２２０、ディスプレイ２２２、入力デバイス２２４およびメモリ２２６を含むことができ、それらは相互接続されることができる。好ましい実施態様において、メモリ２２６は通信リンク１０８を通してまたは他のリンクを通して受信されるデータを記憶するための記憶デバイスを含み、更に一人以上のユーザによって送信されるコマンドおよび値を受信する。この記憶デバイスは、プロセッサ２２０を制御するためのサーバープログラムを更に含む。
【００４４】
いくつかの実施態様において、メディアコンテンツ管理アプリケーションがアプリケーションプログラムインタフェース（図示せず）を含むことができるか、または、代わりとして、このアプリケーションがワークステーション１０２またはサーバ１１０のメモリ内に常駐であることができる。別の適切な実施態様において、ワークステーション１０２への唯一の配布が、例えば、サーバ１１０に常駐のメディアコンテンツ管理アプリケーションとユーザが対話することができるグラフィカルユーザインタフェース（「ＧＵＩ」）であることができる。
【００４５】
１つの特定の実施態様において、メディアコンテンツ管理アプリケーションがクライアント側ソフトウェア、ハードウェアまたは両方を含むことができる。例えば、このアプリケーションが、（例えば、ハイパーテキストマークアップ言語（「ＨＴＭＬ」）、動的ハイパーテキストマークアップ言語（「ＤＨＴＭＬ」）、拡張可能マークアップ言語（「ＸＭＬ」）、ＪａｖａＳｅｒｖｅｒページ（「ＪＳＰ」）、Ａｃｔｉｖｅ  Ｓｅｒｖｅｒ  Ｐａｇｅｓ（「ＡＳＰ」）、Ｃｏｌｄ  Ｆｕｓｉｏｎまたはその他の適切な方法のような、任意の適切な符号化によって）一つ以上のウェブページまたはウェブページ部分を包含することができる。
【００４６】
メディアコンテンツ管理アプリケーションがワークステーションおよび／またはサーバ上で実現されるとして、本願明細書に記載されているとはいえ、これは例証となるだけである。このアプリケーションは、この種の機能を提供するために任意の適切なプラットホーム（例えばパーソナルコンピュータ（「ＰＣ」）、メインフレームコンピュータ、ダムターミナル、データディスプレイ、双方向ページャ、無線端末、携帯電話機、携帯コンピュータ、パームトップコンピュータ、Ｈ／ＰＣ、自動車ＰＣ、ラップトップコンピュータ、パーソナル携帯情報機器（「ＰＤＡ」）、複合携帯電話およびＰＤＡ、その他）上に実装されることができる。
【００４７】
詳細な説明がコンピュータまたはコンピュータのネットワーク上で実行されるプログラムプロシージャに関して、本願明細書において提示されることができることもまた、理解されよう。これらの手続き的記述および表現は、当業者によって他の当業者に対して自分の仕事の中身を最も効果的に伝達するために使われる手段である。
【００４８】
プロシージャはここで、かつ一般に、所望の結果に至るステップの首尾一貫したシーケンスであると理解される。これらのステップは、物理量の物理的な操作を必要とするものである。通常、必ずしもそうではないが、これらの量は、記憶されて、転送されて、結合されて、比較されて、さもなければ操作されることが可能な電気または磁気信号の形態をとる。これらの信号を、ビット、値、要素、シンボル、文字、用語、数、等と呼ぶことは、主として一般的な用法の理由で、折に触れて都合がいいと判明する。しかしながら、これらのおよび類似の用語の全てが適切な物理量と関連づけられるべきであり、単にこれらの数量に貼り付けられる便利なラベルであることが、留意されるべきである。
【００４９】
更に、実行される操作はしばしば、加算または比較のような、用語で参照され、それらは、一般に人間オペレータによって実行される精神的動作と関連づけられる。本発明の一部を形成する、本願明細書に記載される動作のいずれかにおいて、ほとんどの場合に、人間オペレータのこの種の何の能力も必要ないかまたは望ましくもなく、動作は、機械動作である。本発明の動作を実行するための有効な機械は、汎用ディジタルコンピュータまたは類似したデバイスを含む。
【００５０】
本発明は、これらの動作を実行するための装置にも関する。この装置は必要目的のために特別に構成されることができるか、または、それはコンピュータ内に記憶されるコンピュータープログラムによって選択的に起動されるかまたは再構成されるような、汎用コンピュータを備えることができる。本願明細書において提示されるプロシージャは、本質的に特定のコンピュータまたは他の装置に関連していない。さまざまな汎用機械が、本願明細書における教示に従って書かれるプログラムと共に用いられることができるか、または、必要な方法ステップを実行するためにより専門の装置を構成することが、より都合がいいと判明する場合がある。種々のこれらの機械に対する必要構成は、与えられる記述から現れる。
【００５１】
本発明に従うシステムは、汎用コンピュータまたは特別にプログラムされた専用コンピュータを含むことができる。ユーザは、例えばパーソナルコンピュータ経由で、または、ＰＤＡ、例えばインターネット、イントラネット、その他を介してシステムと対話することができる。これらのいずれもが、単一のコンピュータよりむしろ分散形コンピュータシステムとして実現されることができる。同様に、通信リンクは専用のリンク、ＰＯＴＳラインを介したモデム、インターネット、および／または、コンピュータおよび／またはユーザ間を通信するその他の方法であることができる。さらに、処理は一つ以上のコンピュータシステムまたはプロセッサ上のソフトウェアプログラムによって制御されることができるか、または、ハードウェア内に部分的にまたは完全に実現されさえすることができる。
【００５２】
単一のコンピュータが使われることができるとはいえ、本発明の一つ以上の実施態様に従うシステムは、任意選択で多数または組合せのプロセッサまたは記憶デバイスを適切に装備する。例えば、このコンピュータは本発明の実施態様の概念に従って動作可能な、高性能の電卓、ハンドヘルド、ラップトップ／ノートブック、ミニ、メインフレームおよびスーパーコンピュータ、同じく、それらの処理システムネットワーク組合せを含む、任意の適切な処理システムによって置き換えられるか、またはそれらと組み合わせられることができる。更に、このシステムの一部は、例えば、電子信号として通信回線を介して供給される、ＣＤおよび／またはＤＶＤで供給される、光ディスクメモリで供給される、などを含む任意の適切な電子的フォーマットで供給されることができる。
【００５３】
任意の現在利用可能なまたは将来開発されるコンピューターソフトウェア言語および／またはハードウェアコンポーネントが、本発明のこの種の実施態様において使用されることができる。例えば、前述した機能の少なくともいくつかが、Ｖｉｓｕａｌ  Ｂａｓｉｃ、Ｃ、Ｃ＋＋または使用されるプロセッサを考慮して適切な任意のアセンブリ言語を使用して実現されることができる。それは、また、Ｊａｖａのようなオブジェクト指向のおよび／または解釈的な環境で書かれ、かつさまざまなユーザまで複数の行き先に搬送されることができる。
【００５４】
次に図３を参照して、本発明のいくつかの実施態様に従って提供されることができる例証となるホームスクリーン３００が、表示されている。メディアコンテンツ管理アプリケーションは、意味的判定基準を使用して、メディアコンテンツを能率的にかつ都合よく、生成して、カスタマイズしておよび／または配信する能力をユーザに提供するように設計されている。例えば、これはユーザがメディアコンテンツ（例えば、どのメディアセグメントが利用可能であるか、どのメディアセグメントが新しいか、商品目録情報、セールス情報、セールス結果、提示情報、使用に使えるテンプレート、など）に関する情報を通して閲覧することができることを含む。
【００５５】
図３に示すように、スクリーン３００は、自動車（例えば自動車コマーシャル）に関するメディアコンテンツを生成して、カスタマイズしておよび／または配信することに関する。しかしながら、メディアコンテンツはその他の適切な主題、例えば旅行、エレクトロニクス、政治キャンペーン、などに関することができる。
【００５６】
スクリーン３００は、キャンペーン、キャンペーンテンプレート（例えば複数の車両に対する３０秒コマーシャルのためのキャンペーンテンプレート）、商品目録（例えば北東部に新しく配達された自動車および割当て）、セールス（例えば２００４年の第３四半期のセールス結果、年初来セールス結果、年次セールスレポート、その他）、提示（例えば、１０月および１１月の月の提示、年末提示、貸与提示、その他）および更新されたメディアコンテンツ（例えば使用に使える新しいキャンペーンテンプレート、選択のための新メディアコンテンツ、その他）に関する情報を含む。
【００５７】
示すように、図３のスクリーン３００はコンピュータディスプレイ（例えば図１および２のワークステーション１０２のディスプレイ２０４またはサーバ１１０のディスプレイ２２２）上に与えられるように設計されている。しかしながら、あとに続くスクリーンのフォーマットおよびコンテンツが、必要に応じて、異なるプラットホームに対応するように修正されることができる点に留意する必要がある。以下のスクリーンに対するいくつか、全部または代替物が、本発明に従うメディアコンテンツ管理アプリケーションのユーザに与えられることができる点にも留意する必要がある。
【００５８】
メディアコンテンツ管理アプリケーションは、メディアコンテンツを生成して、カスタマイズしておよび／または配信するために、広告主、販売会社、現地部門のユーザ、親会社のユーザ、親会社の子会社のユーザおよびケーブルオペレータのユーザを含むがこれに限らずさまざまなユーザによってアクセスされることができる。いくつかの実施態様において、メディアコンテンツ管理アプリケーションは異なる機能をこれらのユーザの各々に供給することができる。例えば、広告主は種々のバージョンのコマーシャルスポットを生成することを許されることができるが、一方現地部門のユーザは、一つ以上のコマーシャルスポットに特定の変更を行うことだけが許されることができる。この種の例では、広告主によって生成されるコマーシャルスポットは、他のユーザによってカスタマイズされることができるが、しかし、全体としてのメッセージが変化しないようになされる。代わりとして、特定のユーザ（例えば広告主または販売会社）はメディアコンテンツを生成しておよび／またはカスタマイズするのを許されることができるが、一方他のユーザ（例えば現地部門のユーザ）は、メディアコンテンツを購入するかまたは受信するのを許されることができる。
【００５９】
メディアコンテンツ管理アプリケーションは、メディアコンテンツを生成して、カスタマイズしておよび／または配信するためのインターフェース３４０をユーザに提供する。図３に示すように、「ホーム」ボタンがインターフェース３４０において現在選択されている。
【００６０】
いくつかの実施態様において、メディアコンテンツ管理アプリケーションは、ユーザがメディアコンテンツを受信するように選択するのを許すことができる。例えば、ユーザは複数のメディアコンテンツを有するインターフェースを提供されることができる。ユーザによる選択に応答して、メディアコンテンツ管理アプリケーションはメディアコンテンツのライブラリからメディアコンテンツを取り出すことができ、ユーザにこのメディアコンテンツを供給することができる。コンテンツのライブラリは、例えば、リスト、データベースまたはユーザにコンテンツを供給するためのその他の適切な方法の形態でユーザに与えられることができる。代わりとして、メディアコンテンツ管理アプリケーションはメディアコンテンツを生成しておよび／またはカスタマイズするための一つ以上の意味的判定基準を、ユーザに提供することができる。セグメント（例えばオーディオの一部、ビデオの一部、背景オーディオ、ナレーション、イメージ、その他）が、コンテンツのライブラリから取り出されることができて、編集／アセンブリソフトウェアパッケージ、編集／アセンブリシステム、または編集／アセンブリソフトウェアパッケージもしくは編集／アセンブリシステムを使用することが可能なユーザを使用して、メディアコンテンツを生成するためにアセンブルされることができる。ユーザは、それを購入する前に、または、選択および生成プロセスの間か後のいつでもコンテンツをプレビューすることができる。
【００６１】
図３へ戻って参照して、ユーザがインターフェース３４０の「プレビュー」ボタンを選択するのに応答して、メディアコンテンツ管理アプリケーションは例証となる生成スクリーン４００（図４）をユーザに提供する。いくつかの実施態様において、メディアコンテンツ管理アプリケーションはキャンペーンのリスト（例えば自動車用の広告キャンペーン、政治家用の広告キャンペーン、その他）または生成されたメディアコンテンツのリストをユーザに提供することができる。特定のキャンペーンまたは特定のメディアコンテンツを選択するのに応答して、メディアコンテンツ管理アプリケーションは、意味的判定基準を使用して、メディアコンテンツをカスタマイズするスクリーン４００をユーザに提供することができる。
【００６２】
いくつかの実施態様において、メディアコンテンツ管理アプリケーションはメディアコンテンツに関する（例えば質問またはオプションの形式の）一つ以上の意味的判定基準を、ユーザに提供することができる。意味的判定基準に対する応答を使用して、メディアコンテンツ管理アプリケーションは意味的編集制御をユーザに提供する。例えば、メディアコンテンツ管理アプリケーションは性別、富、人種分類、地理、広告スタイル、提示の種類、などに関する情報に対する一つ以上の抽象的な質問をユーザに与えることができる。質問の各々に対する応答に基づいて、メディアコンテンツ管理アプリケーションは、どのメディアセグメントが応答と関連するかについて判定して、対応するメディアセグメントを取り出して、および／または一つ以上のバージョンのメディアコンテンツをアセンブルするために編集／アセンブリソフトウェアパッケージを使用することができる。
【００６３】
一例において、メディアコンテンツ管理アプリケーションは、質問「提示は何？」をユーザに与えることができる。２０％オフ提示がメディアコンテンツで伝えられるべきとユーザが入力することに応答して、メディアコンテンツ管理アプリケーションはこの種のメッセージを伝達するメディアコンテンツを生成するのに必要なルーチンを実行することができる。例えば、メディアコンテンツ管理アプリケーションは２０％オフセールス提示に関するメディアセグメントとこの種の応答を関連づけることができる（例えば提示を述べるオーディオセグメント、提示を説明するビデオセグメント、提示に付随するサウンドトラック、提示とともに表示されるべき断り書き、メディアセグメントはどのように順番付けられるか、オーディオセグメントはどのようにビデオセグメントと結合されるか、どのセグメントが重なり合うか、背景オーディオトラックがどのようにビデオセグメントと結合されるか、その他）。メディアコンテンツ管理アプリケーションは、編集／アセンブリソフトウェアパッケージ、編集／アセンブリシステム、またはユーザ用のバージョンのメディアコンテンツを構成する編集／アセンブリソフトウェアパッケージもしくは編集／アセンブリシステムのユーザ、に対して意味的判定基準を送信することができる。
【００６４】
図４に示すように、スクリーン４００は生成されるべきメディアコンテンツに関する意味的判定基準のリスト４２０をユーザに提供する。スクリーン４００またはその他の適切なインターフェースを使用して、メディアコンテンツ管理アプリケーションによってユーザがメディアコンテンツの編集を管理して、意味的判定基準に基づいてメディアコンテンツ（またはメディアコンテンツのバージョン）に関する判断をすることができる。意味的判定基準４２０は、例えば、広告のスタイルに関するオプション、イベントに関するオプション、車両のタイプに関するオプション、車両のモデルに関するオプション、提示に関するオプション、ターゲット視聴者の性別（例えば男性または女性）に関するオプション、ターゲット視聴者の富（例えば７０，０００ドルより大きい収入）に関するオプション、ターゲット視聴者の人種分類（例えば白人、アフリカ系アメリカ人、ヒスパニック、アジア人、その他）に関するオプション、ターゲット視聴者の地理（例えば北東部、南部、ヨーロッパ、アジア、その他）に関するオプション、その他、を含むことができる。その他の適切な判定基準もまた、提供されることができる。例えばターゲット視聴者の嗜好および嫌悪に関する判定基準（例えば、視聴者はスポーツに関するコマーシャルを好む、視聴者はその中に犬を伴う広告を好む、など）が、提供されることができる。
【００６５】
例えば、図４に示すように、メディアコンテンツ管理アプリケーションは、広告主のようなユーザが、意味的判定基準を有する質問に応答することを可能にすることができる。意味的判定基準（例えば意味的判定基準４２０）に対する応答が、一つ以上のバージョンのメディアコンテンツを生成するために必要な機能を実行するためにメディアコンテンツ管理アプリケーションによって使われることができる。例えば、対象とする視聴者が性別「男性」を有することを、ユーザが示唆することに応答して、メディアコンテンツ管理アプリケーションは、どのメディアセグメントがこのバージョンのメディアコンテンツを構成するために使われることができるかについて判定するためにこの意味的判定基準を使用することができる。一つの例において、メディアコンテンツ管理アプリケーションは、意味的判定基準および／またはメタデータ特性（例えば男性）を編集／アセンブリソフトウェアパッケージまたは編集／アセンブリソフトウェアパッケージのユーザに与えることができる。編集／アセンブリソフトウェアパッケージは、意味的判定基準および／またはメタデータ特性に関するメディアセグメントを取り出して、一つ以上のバージョンのメディアコンテンツをアセンブルするのに用いられることができる。
【００６６】
プロ用編集／アセンブリソフトウェア（例えば、Ａｖｉｄ  Ｔｅｃｈｎｏｌｏｇｙ社によって開発された編集ソフトウェア、アップルコンピューター社によって開発されたＦｉｎａｌ  Ｃｕｔ  Ｐｒｏ、Ｖｉｓｉｂｌｅ  Ｗｏｒｌｄによって開発されたｉｎｔｅｌｌｉＳｐｏｔまたは他のアセンブリソフトウェア、その他）は、ユーザが、ソフトウェアの編集ツールセット、同じく編集ポイント、メディアセグメントのシーケンス、オーディオセグメントがどのようにビデオセグメントと結合されるか、背景オーディオトラックがどのようにビデオセグメントと結合されるか、どのメディアセグメントがカスタマイズされ、および／または置き換えられることができるか、のようなメディアコンテンツの詳細、および、メディアコンテンツに関するその他の適切な詳細、をよく知っている必要がある。加えて、プロ用編集／アセンブリソフトウェアは、ユーザが編集／アセンブリソフトウェアによって呼び出されるデータベース構造、または、どのようにおよびどのメタデータがオーディオセグメント、ビデオセグメントまたはその他の適切なメディアセグメントと結合されたかを知っている必要がある。ユーザは意味的制御または意味的判定基準の形式の抽象化を与えられるので、メディアコンテンツ管理アプリケーションはこれらの困難を回避する点に留意するべきである。意味的判定基準に応答して、この意味的判定基準がこれらのプロ用編集／アセンブリソフトウェアパッケージの１つによって実行されることができる機能に変換される。意味的判定基準を供給することに応答して、メディアコンテンツ管理アプリケーションは、これらのプロ用編集／アセンブリソフトウェアパッケージの一つ以上を使用するかまたは、メタデータ特性に対応する一つ以上のバージョンのメディアコンテンツを生成するためにこれらの編集／アセンブリソフトウェアパッケージについての知識を有する別のユーザにこの情報を送信することができる。したがって、メディアコンテンツ管理アプリケーションのユーザはプロ用編集／アセンブリソフトウェアパッケージについての知識を有する必要がないか、またはメディアコンテンツ（例えば広告）がどのように集約されるかの知識を有する必要がない。加えて、メディアコンテンツ管理アプリケーションのユーザは、プロ用編集／アセンブリソフトウェアパッケージによってアクセスされるデータベースの構造、または、どのようにおよびどのメタデータがデータベース内に記憶されるメディアセグメントと関連づけられるか、についての知識を有する必要がない。
【００６７】
いくつかの実施態様において、メディアコンテンツ管理アプリケーションは、このバージョンのメディアコンテンツの対象とする視聴者に関する付加情報を得るためにユーザによって提供される意味的判定基準を使用することができる。例えば、ユーザは図４の「地理」フィールドに、対象とする視聴者が郵便番号「１００２０」内に住むことを入力することができる。応答して、メディアコンテンツ管理アプリケーションは、ユーザが郵便番号「１００２０」内の対象とする視聴者に関するその他の情報を知っていることを要求しないかもしれない。メディアコンテンツ管理アプリケーションは、別の実体、データベースまたはその他の適切なソースから対象とする視聴者に対応するメタデータ特性を得ることができる。例えば、メディアコンテンツ管理アプリケーションは、対象とする視聴者が、６０％が男性および４０％が女性であり、８０％が１００，０００ドルを超える収入レベルを有し、および、６０％が白人であることを、入力された郵便番号「１００２０」から抽出することができる。別の例において、メディアコンテンツ管理アプリケーションは異なるソースから（例えば、米国国勢調査局ウェブサイトから、市場人口統計データウェブサイトから、販売活動データベース、その他から）情報を取り出すことができる。
【００６８】
いくつかの実施態様において、メディアコンテンツ管理アプリケーションによってユーザが特定の意味的判定基準がメディアコンテンツを生成するかまたはカスタマイズするための変数であるかどうかを示唆することができる。図４に示すように、ユーザは意味的判定基準４２０のうちの少なくとも１つに対して「いいえ」を選択することができる。応答して、それらの意味的判定基準はメディアコンテンツを生成するかまたはカスタマイズする際に変数とみなされないかもしれない。例えば、ユーザが性別の意味的判定基準に対して「いいえ」を選択することに応答して、メディアコンテンツ管理アプリケーションは、デフォルトオーディオおよび／またはビデオセグメントを特定の性別（中性の性別または不明な性別）の方へ方向付けられないデータベースから選択することができる。
【００６９】
したがって、ユーザが一つ以上の意味的判定基準４２０に応答することに応答して、メディアコンテンツ管理アプリケーションはユーザがプレビューすることができるメディアコンテンツをアセンブルすることができる。プレビューボタン４４０を選択することに応答して、メディアコンテンツ管理アプリケーションはウィンドウ４６０内にこのバージョンのメディアコンテンツを表示することができる。意味的判定基準を使用して、メディアコンテンツ管理アプリケーションはユーザが配達のために完成したバージョンのメディアコンテンツをプレビューして、注文することができるようにする。
【００７０】
メディアセグメントが、例えば、グラフィクス（例えばテキスト、イメージ、背景フィラー、視覚オブジェクト、視覚的効果、その他）、ビデオセグメント、オーディオセグメント（例えば合成音声、音楽、背音、その他）、アニメーション、などを含む点に留意する必要がある。一つ以上のバージョンのメディアコンテンツをアセンブルする際に使用されるこれらのメディアセグメントがデータベースから取り出されることができるとはいえ、ユーザまたはメディアコンテンツ管理アプリケーションがこのバージョンのメディアコンテンツをアセンブルするデータベースを有する必要がない点にもまた留意する必要がある。メディアコンテンツ管理アプリケーションは、適切なメディアセグメント（例えばオーディオの一部、ビデオの一部、背景オーディオ、ナレーション、イメージ、アニメーション、グラフィクス、その他）を備えたバージョンのメディアコンテンツを生成する編集／アセンブリソフトウェアパッケージを使用し、かつ特別目的データベース（例えばユーザによって要求されないそれらのメディアセグメントを含む複数のメディアセグメントを備えたオブジェクト指向データベース）を有する、および／または維持する必要を伴わずに、ユーザにこのバージョンのメディアコンテンツを供給することによって、この困難を回避する。意味的判定基準および／またはメタデータ特性に関連があるメディアセグメントが、編集／アセンブリソフトウェアパッケージによってこのバージョンのメディアコンテンツを生成するのに用いられる。
【００７１】
メディアセグメントおよび他の要素が一つ以上の意味的判定基準を相対的または絶対的適合に関して、メタデータをそれらに関連付けさせることができる点にもまた留意する必要がある。例えば、価格変更に応答して、メディアコンテンツ管理アプリケーションまたは編集／アセンブリソフトウェアパッケージが、対応するビデオセグメントの一つ以上の異なる部分および対応するオーディオセグメントの一つ以上の異なる部分を、配置に関するルール、ビデオとのオーディオの同期および背音トラックの変更と共に取り出すことができる。別の例において、各メディアセグメントはそれと関連する一つ以上のメタデータタグを有することができ、および、対応するメタデータ特性とともに意味的判定基準を受信することに応答して、編集／アセンブリソフトウェアパッケージは対応するメタデータ特性を有するメディアセグメントを取り出すことができる。意味的判定基準は、メディアコンテンツがどのように順番付けられるか、主オーディオセグメントおよびそれがどのようにビデオセグメントと結合されるか、背景オーディオトラックおよびそれがどのようにビデオセグメントと結合されるか、その他、に影響を及ぼすことができる。
【００７２】
メディアコンテンツ管理アプリケーションが、ユーザがプレビューすることができ、そのそれぞれが、一つ以上の意味的判定基準４２０に対するユーザの応答に従っている、複数のバージョンのメディアコンテンツをアセンブルするために編集／アセンブリソフトウェアパッケージまたはその他の適切なソフトウェアを使用することができる点に、更に留意する必要がある。ユーザは、配布のためのメディアコンテンツの一つ以上をプレビューして、選択することができる。別の実施態様において、メディアコンテンツ管理アプリケーションによってユーザがこの一つ以上のバージョンのメディアコンテンツをより狭く調整するために第２次オプション（例えばオプション４２０）を選択することができる。
【００７３】
代わりとして、実施態様によっては、メディアコンテンツ管理アプリケーションは、カスタマイズされたバージョンのメディアコンテンツを構成するユーザによる選択のために、意味的判定基準に対応する種々のメディアセグメントを、ユーザに提供することができる。例えば、メディアコンテンツ管理アプリケーションは種々のカスタマイズされたメディアコンテンツをユーザに提供することができ、そこで、各々が異なるメディアセグメントを有し、およびユーザがカスタマイズされたメディアコンテンツのうちの少なくとも１つを選択することができる。別の例では、メディアコンテンツ管理アプリケーションはメディアセグメントのリストまたは表示をユーザに提供することができ、そこでユーザが、得られるカスタマイズされたメディアコンテンツへの取込みのためにメディアセグメントの１つ以上を選択することができる。
【００７４】
図５および６は、本発明のいくつかの実施態様に従って提供されることができる例証となるメッセージテンプレート５００およびデータベースのコンテンツ６００を示す。メッセージテンプレート５００は、ターゲット視聴者に対するメディアコンテンツを生成して、アセンブルするフレームワークを記述する。メッセージテンプレートは、挿入可能なシーケンス（例えば挿入可能なオーディオおよび／またはビデオメディアセグメント）および／またはあらかじめ定義されたシーケンスのような、シーケンス５２０を含むことができる。例えば、あらかじめ定義されたシーケンスが、異なるバージョンのメディアコンテンツの間で変化しないメッセージテンプレート５００内に挿入されることができる。加えて、メッセージテンプレート５００はメディアコンテンツを生成する、選択のためのルールおよびメディアセグメントの組合せおよび他のリソースを含むことができる。
【００７５】
本発明のメッセージテンプレート５００がメディアセグメントの直交アセンブルに限られていない点に留意する必要がある。メディアコンテンツの一つ以上の要素が、カスタマイズされたメディアコンテンツを提供するためにさまざまな方法を使用して制御されて組み合わせられることが可能である。例えば、地理的景色のような、背景光景が１つのデータベースから選択されて、メディアコンテンツの再生の全体にわたって共通背景として使われ、一方、挿入可能なビデオセグメントが特定のポジションでメディアコンテンツに加えられる。
【００７６】
メッセージテンプレートの設計は、キャンペーンからの情報、デフォルトメッセージ（例えばカスタマイズされないメディアコンテンツ）からの情報、などを使用して決定されることができる。
【００７７】
ユーザからの指示に応答して、メディアコンテンツ管理アプリケーションは特定の市場、会社または個人のためのメディアコンテンツを生成することができる。例えば、メディアコンテンツ管理アプリケーションは一つ以上のデータベースから特定のメディアセグメントおよび／またはメディア情報を得て、視聴者に配信されるべきメディアコンテンツをアセンブルするために編集／アセンブリソフトウェアパッケージを使用することができる。メディアコンテンツ管理アプリケーションまたは編集／アセンブリソフトウェアパッケージによってアクセスされるデータベースが、広告情報、オーディオセグメント、ビデオセグメント、シーケンス、その他の適切なメディアセグメント、およびメディアコンテンツを生成するのに用いられることができるその他の適切な情報、を記憶するための任意の適切な記憶デバイスであることができる点に留意する必要がある。データベースは、メディアコンテンツ管理アプリケーションまたは編集／アセンブリソフトウェアパッケージによってアクセスされる特別なメディアデータベースであることができる。このデータベースは、メディアコンテンツ管理アプリケーション、編集／アセンブリソフトウェアパッケージ、ケーブルオペレータ、ヘッドエンド、ネットワークプロバイダおよび／またはその他の適切な実体に対して無拘束性であることができる。
【００７８】
これらのシーケンスおよびメディアセグメントが大容量、高速サーバ、データベースまたは、その場での生成およびアセンブリためにこれらのシーケンスおよびメディアセグメントを「実時間」もしくは「ほぼ実時間」で配達することが可能な任意の適切な記憶デバイス上に記憶されることができる点にもまた、留意する必要がある。
【００７９】
ユーザ情報に基づいて個人化されたメッセージを生成するための編集／アセンブリソフトウェアパッケージおよび機能は、例えば、２０００年４月７日に出願の、共通著者による、共通譲渡された米国特許出願第０９／５４５５２４号に記載されており、それは、全体として本願明細書において本願明細書に引用したものとする。
【００８０】
いくつかの実施態様において、メディアコンテンツ管理アプリケーションはまた、このバージョンのメディアコンテンツをより狭く調整するかまたはカスタマイズするために意味的判定基準および／またはメタデータ特性を使用するかまたは付与することができる。
【００８１】
図７を参照して、ユーザがアセンブルされたバージョンのメディアコンテンツをプレビューするのに応答して、メディアコンテンツ管理アプリケーションが、本発明のいくつかの実施態様に従って提供されることができる例証となるプランニングスクリーン７００を、ユーザに提供する。インターフェース３４０に示すように、「プラン」ボタンが現在選択されている。
【００８２】
いくつかの実施形態において、メディアコンテンツ管理アプリケーションはユーザに対し、選択されたオプションに基づいてメディアコンテンツのバージョンをプレビューし、このメディアコンテンツを編集及び／又はカスタマイズする機会を与え、生成されるメディアコンテンツを承認する。いくつかの実施形態において、メディアコンテンツ管理アプリケーションは、承認されたメディアコンテンツについての製品及び配達コストを動的に計算する。メディアコンテンツアプリケーションはユーザに対し、選択を提供し、及び／又はコストに基づいたメディアコンテンツのバージョンを最適化する。例えば、メディアコンテンツのあるバージョンは、役者を使ったビデオクリップを提供し一方でメディアコンテンツの他のバージョンでは、風刺漫画キャラクタを使ったビデオクリップを提供する。メディアコンテンツのバージョンの各々は、それに関連して異なるコストを有する（例えば、ビデオクリップに関して、役者の雇用コスト、又はオンカメラ演技者のための映画俳優協会の承諾など）。
【００８３】
図７に示すように、メディアコンテンツ管理アプリケーションは、ユーザに対しパラメータ７２０及び７２５を提供する。パラメータ７２０及び７２５によって、ユーザは付加的な意味的判断基準に基づいてメディアコンテンツのバージョンをさらにカスタマイズすることができる。ユーザによって、あるいはメディアコンテンツ管理アプリケーションによって選択されたパラメータに基づいて、メディアコンテンツのバージョンをカスタマイズするために一定の付加的な意味的判断基準がユーザに提供される。例えば、「メディアプラン（Media Plan）」及び「ゾーンデータ（Zone Data）」が図５において提供される。「ゾーンデータ」は、メディアコンテンツが送信されるべき地域に対する人口統計データに関連するものである。したがって、パラメータ「ゾーンデータ」は、ユーザに対し、性別オプション、収入オプション、人種オプションとなどいった人口統計オプションを提供する。
【００８４】
いくつかの実施形態において、ユーザは、メディアコンテンツ管理アプリケーションによって他のソース（例えば、パラメータ７３０及び７３５）からパラメータをインポートすることができる。例えば、ユーザは、他のキャンペーンから「ゾーンデータ」パラメータ７３５をインポートすることができる。他の例においては、「ゾーンデータ」パラメータ７３５をインポートすることは、異なるソースからの（例えば、米国国勢調査局ウェブサイトから、市場人口統計ウェブサイトから、市場データベースからのものなど）人口統計情報を検索することを含む。
【００８５】
図７に示すように、メディアコンテンツ管理アプリケーションは、ユーザに対し、各プロバイダ（例えば、ブロードキャストプログラム、ケーブルゾーン、ケーブルプログラムなど）に対するプログラム７４０のリストを提供する。プロバイダ又はプログラムタイプの選択に応答して、メディアコンテンツ管理アプリケーションはプログラム７４０のリストを表示する。リストされたプログラム７５０の各々は、チャンネル名、ブロードキャスタ時間、プログラムタイトル、プログラムのタイプ、及び／又は他の適切なあらゆる情報といったプログラム情報を含む。ユーザは、例えばチェックボックス７６５を選択することによって、プログラム７５０に対するメディアコンテンツのカスタマイズされたバージョンを関連付けるよう選択することができる。メディア内容の承認と同時に、メディアコンテンツは組み立てられ、製造（生産）され、選択されたプログラム７５０中の再生に対する適切なエンティティに配布される。
【００８６】
メディアコンテンツを配布するための選択されたプログラムの各々に対し、メディアコンテンツ管理アプリケーションは、コストインタフェース７７０における関連コストを動的に計算し、関連コストを表示する。このコストは、１又は複数のメディアコンテンツを生成するための見積もりであり、メディアコンテンツを適切なエンティティへ配達する。このコストには、例えば、メディアコスト、製造（生産）コスト、配達コスト等が含まれる。コストインタフェース７７０において与えられたこのコストにより、ユーザはメディアコンテンツ管理アプリケーションを使ってメディアコンテンツのバージョンのコストを最適化することができる。例えば、メディアコンテンツ管理アプリケーションは、メディアコンテンツのバージョンの生成及び配達に関連する異なったコストについての知識を有することなく、メディアコンテンツのバージョンのコストを最適化する機会をユーザに与える（例えば、ユーザは、メディアコンテンツのバージョンをＭＰＥＧ−２又はＭＰＥＧ−４に与えるコストについて知る必要がなく、ユーザは、映画俳優協会の承諾パラメータ、あるいは特定のタレント人員との特別補償契約について知る必要がなく、ユーザは、メディアコンテンツのバージョンを生成するための製品命題について知る必要がない）。
【００８７】
いくつかの実施形態において、メディアコンテンツ管理アプリケーションによってユーザは、１又は複数の意味的判断基準を使って特定のプログラムに対するメディアコンテンツのバージョンを更にカスタマイズすることができる（例えば、質問又はオプションフォームにおいて）。意味的判断基準への応答を使って、メディアコンテンツ管理アプリケーションは、付加的な意味的編集制御をユーザに提供する。例えば、メディアコンテンツ管理アプリケーションは、性別、富裕、地理、広告スタイル、提供（オファー）の形式等に関連する情報についての１又は複数の観念的な質問をユーザに提供する。各々の質問に対する応答に基づいて、メディアコンテンツ管理アプリケーションは意味的判断基準を編集／アセンブリソフトウェアパッケージ又は編集／アセンブリシステムに送信し、或いは、編集／アセンブリソフトウェアパッケージ又は編集／アセンブリシステムのユーザに送信し、更には、ユーザに対するメディアコンテンツの１又は複数のバージョンを調整及び／又は構築する。本発明のいくつかの実施形態に従って、図７のプレビューボタン７６０の１つを選択することによって、メディアコンテンツ管理アプリケーションは、図８の例示的な承認スクリーン８００、図９の９００、図１０の１０００をユーザに提供する。
【００８８】
スクリーン８００、９００、及び１０００に示したように、メディアコンテンツ管理アプリケーションは、メディアコンテンツのバージョンを調整するための付加的な意味的判断基準をユーザに与える（例えば、図８〜１０に示したようなオプション、統計学上の情報、人口統計情報等）。例えば、図８の承認スクリーン８００において、ユーザは、「ブロードキャストプログラム（Broadcast Programs）」のカテゴリ８１０と、性別、収入、及び人種に関連する意味的判断基準８２０とを与えられる。示したように、メディアコンテンツ管理アプリケーションは、付加的な意味的判断基準をユーザに与える。例えば、メディアコンテンツ管理アプリケーションは、収入が７万ドル未満のコーカソイド（Caucasian）の男性はそのメディアコンテンツの予定観衆であることを知らせることができる。メディアコンテンツ管理アプリケーションは、人口統計情報を取得し、ユーザが如何にメディアコンテンツをさらにカスタマイズすべきかを判断する。他の実施形態において、メディアコンテンツ管理アプリケーションは、人口統計情報に基づいた選択をデフォルトとするかもしれない。ユーザがメディアコンテンツを与えている範囲が概ねコーカソイド（Caucasian）の男性である（例えば、図８で図示したように６１％＆の男性と８１％のコーカソイド）とメディアコンテンツ管理アプリケーションが判断したとき、メディアコンテンツ管理アプリケーションは、自動的にこれらのオプションのデフォルト選択とする。
【００８９】
スクリーン８００、９００、１０００、又は他の何れかの適切なインターフェースを使用して、ユーザは、メディアコンテンツ管理アプリケーションによってメディアコンテンツの編集を管理し、意味的判断基準に基づいたメディアコンテンツ（あるいは、メディアコンテンツのバージョン）に関連する決定をすることができる。意味的判断基準には、例えば、広告のスタイルに関するオプション、イベントに関するオプション、乗り物に関するオプション、乗り物の型式に関するオプション、提供（オファー）に関するオプション、ターゲット観衆の性別に関するオプション（例えば、男性か女性か）、ターゲット観衆の富裕に関するオプション（例えば、収入が７万ドル以上か）、ターゲット観衆の人種に関するオプション（例えば、コーカソイド、アフリカ出身のアメリカ人、ヒスパニック、アジアンなど）、ターゲット観衆の地理に関するオプション（例えば、北東部、南部、ヨーロッパ、アジアなど）が含まれる。その他あらゆる適切な判断基準を与えることができる。例えば、ターゲット観衆の好き嫌いに関する判断基準を与えることができる（例えば、その観衆はスポーツに関連するコマーシャルが好みであるとか、その観衆は犬が登場する宣伝が好みである、など）。
【００９０】
繰り返しになるが、プロ用編集／アセンブリソフトウェア（Ａｖｉｄ  Ｔｅｃｈｎｏｌｏｇｙ社によって開発された編集ソフトウェア、アップルコンピューター社によって開発されたＦｉｎａｌ  Ｃｕｔ  Ｐｒｏ、Ｖｉｓｉｂｌｅ  Ｗｏｒｌｄによって開発されたｉｎｔｅｌｌｉＳｐｏｔまたは他のアセンブリソフトウェア、など）は、ソフトウェアパッケージの編集ツールセットに親しむと共に、編集点、メディアセグメントのシーケンス、どのようにオーディオセグメントをビデオセグメントに結び付けられるか、バックグラウンドオーディオトラックをどのようにカスタマイズ及び／又は再配置可能なビデオセグメントに結び付けられるか、メディアコンテンツに関する適切な他のあらゆる詳細事項といったメディアコンテンツの詳細に親しむことも要求する。加えて、プロ用編集／アセンブリソフトウェアは、ユーザが、編集／アセンブリソフトウェアによってコールされるデータベース構造を知り、又はどうやってどのメタデータがオーディオセグメント、ビデオセグメント、或いは他のあらゆる適切なメディアセグメントに結び付けられるかを知ることを要求する。ユーザは、意味的制御又は意味的判断基準の形で概要を与えられるので、メディアコンテンツ管理アプリケーションはこの困難性を排除するものであるという点に留意すべきである。意味的判断基準に応答して、この意味的判断基準はプロ用編集／アセンブリソフトウェアパッケージの１つによって実行される機能へと翻訳される。意味的判断基準の提供に応えて、メディアコンテンツ管理アプリケーションは、これらプロ用編集／アセンブリソフトウェアパッケージの１又は複数を使用し、或いは、これらプロ用編集／アセンブリソフトウェアパッケージの知識を有する他のユーザへ情報を送信し、そのメタデータ特性に対応するメディアコンテンツの１又は複数のバージョンを生成及び調整する。このように、メディアコンテンツ管理アプリケーションのユーザは、プロ用編集／アセンブリソフトウェアパッケージの知識を有することを要求されず、あるいは、どのようにメディアコンテンツ（例えば、広告）が互いに引き渡されるかについての知識を有することを要求されない。加えて、メディアコンテンツ管理アプリケーションのユーザは、プロ用編集／アセンブリソフトウェアパッケージによってアクセスされるデータベースの構造についての知識を有することを要求されず、あるいはどのメタデータがどのようにデータベース内に格納されたメディアセグメントに関連付けられるかについての知識を有することを要求されない。
【００９１】
いくつかの実施形態において、メディアコンテンツ管理アプリケーションは、かかる意味的判断基準を使用してそのユーザが適切に目標とされたメディアコンテンツを有していることを判断する。例えば、メディアコンテンツ管理アプリケーションは、そのメディアコンテンツが、収入７万ドル未満のコーカソイド男性には最適なものであることを決定する。これに応答して、メディアコンテンツ管理アプリケーションは、ユーザがメディアコンテンツのバージョンのカスタマイズのために選択した他の意味的判断基準に加えてこの情報を配置する。
【００９２】
いくつかの実施形態において、メディアコンテンツ管理アプリケーションは、かかる情報を使用し、ユーザによって選択されるオプションを自動的に修正する。例えば、人口統計情報、又は他の適切な目標ないし市場情報に基づいて、メディアコンテンツ管理アプリケーションはユーザによって選択されたオプションを調整し、意図された観衆を目標とするよう改善される。
【００９３】
図８に戻ると、１又は複数の付加的な意味的判断基準に応答するユーザに応答し、メディアコンテンツ管理アプリケーションは、付加的な意味的基準８２０を使用してユーザがプレビューするメディアコンテンツのバージョンを調整及びカスタマイズする。プレビューボタン８３０といったボタン又はインターフェースを使用し、ユーザは、プレビューウィンドウ８４０においてメディアコンテンツのカスタマイズされたバージョンをプレビューする。このメディアコンテンツのカスタマイズされたバージョンを承認するために、メディアコンテンツ管理アプリケーションは、ユーザに対し承認ボタン８５０を提供する。
【００９４】
図８〜１０における付加的な意味的判断基準８２０、９２０、及び１０２０は、いずれも適切な判断基準であることに留意すべきである。いくつかの実施形態において、ブロードキャストプログラムに対する意味的判断基準８２０は、ケーブルゾーンに対する意味的判断基準とは異なる。メディアコンテンツのバージョンをカスタマイズするためのあらゆる適切な意味的判断基準は、メディアコンテンツ管理アプリケーションによって与えられる。
【００９５】
メディアコンテンツの１又は複数のバージョンの承認に応じて、メディアコンテンツ管理アプリケーションは、図１１〜１４に示す注文スクリーンをユーザに提供する。
【００９６】
図１１を参照すると、メディアコンテンツ管理アプリケーションは、メディアコンテンツの１又は複数のバージョンを生成するための製造コストを動的に計算する。この製造コストは、例えば、メディアコンテンツのバージョンにおいて使用されるメディアセグメント、メディアコンテンツを組立て及び生成するために要求される時間、等に基づいている。図１１に示すように、メディアコンテンツ管理アプリケーションは、メディアコンテンツのカスタマイズされたバージョンを生成するためのコスト見積もりをユーザに提供し、この見積もりを、メディアコンテンツ管理アプリケーションを使用することなしにメディアコンテンツのカスタマイズされたバージョンを生成するためのコスト見積もりと比較する（例えば、メディアコンテンツの複数のバージョンを生成するための広告代理店を雇用するなど）。
【００９７】
いくつかの実施形態において、メディアコンテンツ管理アプリケーションは、コストによってメディアコンテンツのバージョンを最適化する機会をユーザに付与する。図１１〜１４に示す注文スクリーンを使用して、メディアコンテンツ管理アプリケーション、他のメタデータをメディアコンテンツのバージョンにアタッチする。例えば、この注文スクリーンは、メディアコンテンツの複数のバージョンをユーザに提供し、バージョンの各々に関連付けられたメタデータをユーザに提供する。メディアコンテンツのあるバージョンは、特定の役者がメディアコンテンツのシーンを演じていることをユーザに知らせる。そのバージョンは、その役者を雇うための関連コスト（例えば、映画俳優協会の承諾パラメータ、あるいは特定のタレント人員との特別補償契約）、特定の役者に関連する他のコストを有している。メディアコンテンツ管理アプリケーションは、ユーザにこれらの承諾または関連コストについて精通することを要求することなしに、これらのコストをユーザに提供することに留意すべきである。加えて、メディアコンテンツ管理アプリケーションにより、ユーザは、その関連コストに基づいたメディアコンテンツのバージョン選択ができる。応えて、メディアコンテンツ管理アプリケーションは、コスト情報、意味的判断基準、及び／又は関連するメタデータを編集／アセンブリソフトウェアパッケージに送信して、メディアコンテンツのバージョンをアセンブルすることができる。
【００９８】
いくつかの実施形態において、メディアコンテンツ管理アプリケーションは、ユーザがメディアコンテンツのバージョンの各々を生成するための見積もり提供を受けられるよう、製品コストを項目化（itemize）することができる。メディアコンテンツ管理アプリケーションにより、ユーザは１又は複数の項目化されたコストを選択することができる。これら選択されたコストは、編集／アセンブリソフトウェアパッケージに送信され、そこで選択されたコストは翻訳され、メディアコンテンツのバージョンをアセンブルするために使用される。例えば、ユーザがオンカメラ演技者に対するコスト見積もりを承認すると、編集／アセンブリソフトウェアパッケージは承認されたコスト見積もりを解釈し、オンカメラ演技者を有するメディアセグメントを検索し（例えば、そのオンカメラ演技者を含むビデオクリップなど）、メディアコンテンツのバージョンをアセンブルする。
【００９９】
図１２に示したように、メディアコンテンツ管理アプリケーションは、１又は複数のメディアコンテンツの生成に関連するタレントコストの見積もりを生成する。タレントコストには、オンカメラ演技者、オフカメラ演技者、エキストラ、ナレーションのための演技者、ミュージシャンなどを雇用するのに関連するコストが含まれる。これらのタレントコストは、例えば、映画俳優協会の承諾パラメータ、あるいは特定のタレント人員との特別補償契約に基づくものである。これらのタレントコストは、インターフェース１２１０に図示されている。
【０１００】
いくつかの実施形態において、メディアコンテンツ管理アプリケーションは、メディアコンテンツのバージョンを送信するための配達オプションを選択及び／又は最適化する機会をユーザに与える。つまり、メディアコンテンツのバージョンの配達に関するコストを評価する必要なしに、メディアコンテンツ管理アプリケーションは、ユーザが、メディアコンテンツのバージョンについてのメディア、メディアコンテンツのバージョンについての１又は複数の配達ポイント、等を選択することを可能にする。
【０１０１】
図１３に示すように、メディアコンテンツ管理アプリケーションにより、ユーザは配達オプションを選択することができる。メディアコンテンツ管理アプリケーションにより、ユーザは１又は複数の配達ポイントを選択することができる。これらの配達ポイントには、例えば、特定の市場（例えば、北西部、アトランタ、シカゴなど）、ステーション及び支部（例えば、ＫＣＮＣ（ＣＢＳ）デンバー）、ＷＡＢＣ（ＡＢＣ）ニューヨークなど）、会社、ケーブル相互接続、個人のタイプ（例えば、電子メールリストを介して）、あるいはメディアコンテンツの配布についての現時点での個人といったものが含まれる。
【０１０２】
いくつかの実施形態において、メディアコンテンツ管理アプリケーションは、どの配達ポイントがそのメディアコンテンツのバージョンを受信すべきかを推奨する。例えば、メディアコンテンツ管理アプリケーションは、そのメディアコンテンツに対して選択された目標情報に対応する人口統計情報を有する配達ポイントのリストを提供することができる。他の例においては、メディアコンテンツ管理アプリケーションは、事前に入力された意味的判断基準を使用して最適化された配達ポイントリストを生成する。
【０１０３】
いくつかの実施形態において、メディアコンテンツ管理アプリケーションは、事前に入力された意味的判断基準を使用して配達ポイントのリストを生成し（ここでは、メタデータが配達ポイントの各々に関連付けられている）、リストされた配達ポイントからのメタデータは、事前入力された意味的判断基準と関連付けられたメタデータ特性と適合している。例えば、メディアコンテンツ管理アプリケーションは、事前入力された意味的判断基準からメタデータ特製を抽出する。メタデータ特性は、メディアコンテンツ管理アプリケーションによって使用され、利用可能な配達ポイントのリストをフィルタリングする（例えば、ＷＡＢＣニューヨーク、またはニューヨークにおける全配達ポイントは、男性が５０％以上、かつ所帯の大多数が１０万ドル以上の収入がある、など）。
【０１０４】
配達ポイントの選択に加え、メディアコンテンツ管理アプリケーションは、メディアコンテンツがその配達ポイントへ配達されるべきフォーマットをユーザが選択することを可能にする。これらのフォーマットには、例えば、ＭＰＥＧ−２，ＭＰＥＧ−４，ビデオテープ（ＶＨＳ）、ＤＶＤ、標準解像メディア（ＤＶ、ＤＶＣＰＲＯ、ＤＶＣＡＭ、非圧縮ＳＤ等）、高解像メディア（例えば、ＨＤＶ、ＸＤＣＡＭ  ＨＤ，ＤＶＣＰＲＯ  ＨＤ，非圧縮ＨＤ等）、他のメディアフォーマット、他のメディア解法などが含まれる。例えば、ステーションＫＣＮＣ（ＣＢＳ）デンバーは、ビデオテープの形式でメディアコンテンツを受信する一方で、ステーションＷＡＢＣ（ＡＢＣ）ニューヨークはサーバ若しくはデータベースからメディアコンテンツをダウンロードする。他の例においては、ステーションＫＣＮＣ（ＣＢＳ）デンバーは、標準解像でメディアコンテンツのバージョンを受信する一方で、ステーションＷＡＢＣ（ＡＢＣ）ニューヨークは高解像及び標準解像でメディアコンテンツのバージョンを受信する。
【０１０５】
いくつかの実施形態において、メディアコンテンツ管理アプリケーションは、ユーザの選択を最適化することができる。例えば、メディアコンテンツ管理アプリケーションは、メディアフォーマット優先、要求、及びユーザがそのメディアコンテンツのバージョンを受信するために選択したステーションに関連する他の情報を決定する。メディアコンテンツ管理アプリケーションは、ＷＡＢＣ（ＡＢＣ）ニューヨークが標準解像及び高解像の両方でメディアコンテンツのバージョンが受信されることを要求しているということを決定する。また、メディアコンテンツ管理アプリケーションは、ＷＡＢＣ（ＡＢＣ）ニューヨークがメディアコンテンツのバージョンをＭＰＥＧ−２フォーマットで供給されることを望んでいることを決定することができる。また、メディアコンテンツ管理アプリケーションは、ＷＡＢＣ（ＡＢＣ）ニューヨークがメディアコンテンツのビデオテープを特定のアドレスへ送信されることを要求していることを決定することもできる。この決定に応答して、メディアコンテンツ管理アプリケーションは、特定の配達ポイントに対してユーザが利用可能な選択（例えば、標準解像及びビデオテープのみなど）を事前選択することができる。代替的に、メディアコンテンツ管理アプリケーションは、配達ポイントの要求内にはないオプションをユーザが選択することを禁止することもできる（例えば、特定の配達ポイントは高解像のメディアコンテンツしか受信しないので、ユーザは、標準解像を選択できないなど）。
【０１０６】
したがって、メディアコンテンツ管理アプリケーションは、特定の配達ポイントの要求及び／又は優先について知らなければならないユーザと共に、メディアコンテンツのバージョンを配達するためのオプションの数をユーザに提供する。
【０１０７】
いったん、メディアコンテンツ及び配達ポイントがユーザによって選択されると、メディアコンテンツ管理アプリケーションは、確認スクリーン１２００をユーザに与える。確認スクリーンは、カスタマイズされたメディアコンテンツのバージョンが、アセンブルされ、製造され、選択された配達ポイント（確認エリア１４１０）に対して配達される注文の前に、ユーザがキャンペーンプラン、カスタマイズされたオプション、配達仕様、及び他の情報をレビューすることを要求する。また、ユーザは、見積もられたメディア、製品、配達、そして、カスタマイズされたメディアコンテンツのバージョンをアセンブルし、製造し、配達するのに関連するトータルコストを表示するトータル見積もりコストエリア１４２０を提供される。「プロセス注文（Process Order）」ボタンを選択することによって、注文がなされる。
【０１０８】
メディアコンテンツ管理アプリケーションにより、ユーザは、予定された観衆への配達準備のととのった多様なメディアコンテンツから生成及び選択することができる。
【０１０９】
すでに述べたように、メディアコンテンツ管理アプリケーションは、メディアコンテンツをカスタマイズするための論理観念（logical abstraction）をユーザに与える。メディアコンテンツ管理アプリケーションは、メディアコンテンツのカスタマイズに対し、順方向の（proactive）又は反作用的な（reactive）アプローチを行うことに留意すべきである。ウェブコンテンツ（例えば、ウェブサイト、ウェブ結果等からの情報）を使用して、メディアコンテンツ管理アプリケーションは、ブロードキャストのために与えられるメディアコンテンツのバージョンを調整、選択及び／又はカスタマイズする。例えば、メディアコンテンツ管理アプリケーションは、ブロードキャストに対して提供されるメディアコンテンツのタイプの調整、あるいは、ウェブコンテンツを使用するブロードキャストのために提供されるメディアコンテンツの配置の調整を行う。いくつかの実施形態において、ウェブコンテンツは、メディアコンテンツをブロードキャスティングに先行する、あるいはブロードキャストされたメディアコンテンツと同時存在する、近接するメディアコンテンツのための実時間インジケータとして使用される。いくつかの実施形態において、メディアコンテンツのブロードキャスト及びその関連評価（例えば、ニールセン評価、フィードバック等）の観察と対抗して、メディアコンテンツ管理アプリケーションは、ユーザが、ウェブサイト情報のメディアコンテンツをモニタリングすることによるフィードバックを迅速かつ効果的に受信すること、あるいはウェブサイトからのメディアコンテンツに関連する情報を受信することを可能にする。ウェブサイトに置かれたメディアコンテンツから受信されたフィードバックに基づいて、メディアコンテンツ管理アプリケーションは、ブロードキャストに先行するメディアコンテンツをメディアコンテンツのアセンブルに先立って、あるいはブロードキャストのあとに調整することができる（例えば、コマーシャルを引き抜き、そのコマーシャル新しいバージョンを挿入し、そのコマーシャルをより頻繁に再生する）。他の実施形態においては、ウェブサイトに置かれたメディアコンテンツから受信されたフィードバックに基づいて、メディアコンテンツ管理アプリケーションは、ブロードキャストのための複数のメディアコンテンツのバージョンからメディアコンテンツのバージョンを選択することができる。
【０１１０】
いくつかの実施形態において、メディアコンテンツ管理アプリケーションは、ウェブコンテンツを生成するためのユーザを指示することができる。メディアコンテンツ管理アプリケーションは、特定のウェブサイトに対して生成されたメディアコンテンツを配信する機会をユーザに与える。例えば、メディアコンテンツ管理アプリケーションは、生成されたメディアコンテンツを取り出し、特定のウェブサイト上に配置するためのフォーマットを行い、生成されたメディアコンテンツ及び特定のウェブサイトに対する他のあらゆる情報を送信する。一実施形態において、ユーザは、メディアコンテンツ管理アプリケーションを使用して特定の人口統計（例えば、トゥイーナー（tweener）層）に指向されたメディアコンテンツを生成する。意味的判断基準の選択あるいは他のあらゆる適切な観念に応答して、メディアコンテンツ管理アプリケーションは、意味的判断基準に関連するメタデータ特性を抽出し、その抽出された特性をプロ用編集／アセンブリソフトウェアへ指向し、そのメタデータ特性に対応する１又は複数のメディアコンテンツのバージョンを生成する。メディアコンテンツのバージョンの各々（例えば、その効果、その人口統計的ターゲット、その精神心理学的ターゲット、その関連コスト等）に関連するフィードバックをユーザに与えるために、メディアコンテンツ管理アプリケーションは、プロ用編集／アセンブリソフトウェアあるいは他のあらゆる適切なソフトウェアを使用して他の環境のためのメディアコンテンツのバージョンをフォーマットする。例えば、ウィンドウズメディアフォーマット、あるいはウェブサイト上の再生のためのアドバンスト・ストリーミング・フォーマット（ＡＳＦ）などである。ウェブコンテンツのバージョンはウェブページに投稿され、そのウェブコンテンツとのユーザの相互作用に関連するウェブページから情報が検索される。例えば、メディアコンテンツのバージョンの各々は、特定のウェブサイトに置かれる（例えば、メディアコンテンツとしてのNickelodeon.comは、トゥイーナー、あるいは特にトゥイーナーに指向されたウェブサイトに向けられている）。メディアコンテンツ管理アプリケーションは、メディアコンテンツのブロードキャストバージョンに対する目標とされたあるいは予定された観衆の人口統計に一致する目標人口統計を有する１又は複数のウェブサイト上にコンテンツを置くことに留意すべきである。例えば、ユーザが、Ｎｉｃｋｅｌｏｄｅｏｎチャンネル上のメディアコンテンツをブロードキャスティングすることに興味を持っているとき、フォーマットされたメディアコンテンツが、Ｎｉｃｋｅｌｏｄｅｏｎウェブサイト上、あるいは同様の人口統計をもつ他のいずれかの適切なウェブサイト上に置かれる。他の例においては、ユーザが特定の人口統計（例えば、２５歳以上の男性）に対して特定のチャンネル上のメディアコンテンツ（例えば、ＥＳＰＮ）をブロードキャスティングすることに興味を持つとき、メディアコンテンツ管理アプリケーションは、フォーマットされたメディアコンテンツを配置するための推奨ウェブサイトのリストをユーザに提供する（例えば、ESPN.com, SI.com, MensHealth.com など）。
【０１１１】
いくつかの実施形態において、メディアコンテンツ管理アプリケーションはウェブコンテンツをモニタし、あるいはウェブコンテンツについての特定のウェブサイトからの情報を受信する。応答して、メディアコンテンツ管理アプリケーションはブロードキャストされるメディアコンテンツを調整する。ある実施形態において、メディアコンテンツ管理アプリケーションは、メディアコンテンツのバージョンのうちの１つが他のバージョンより明確な（positive）フィードバックを受けたと判断する。フィードバックは、例えば、ユーザのメディアコンテンツとの相互作用に基づく。ウェブページは、再生中に機能を与える（例えば、「早送り」「巻戻し」「一時停止」「停止」など）。ユーザをモニタリングし、そのユーザを決定し、メディアコンテンツの部分を通して早送りし、メディアコンテンツの部分を巻戻し、メディアコンテンツを再生し、再生中にメディアコンテンツ一時停止し、メディアコンテンツの再生を停止し、メディアコンテンツを複数回再生もしくは巻戻し、他のユーザへメディアコンテンツへのリンクを送信することを決定することにより、メディアコンテンツ管理アプリケーション、メディアコンテンツをカスタマイズするためのフィードバックを得る。応答して、メディアコンテンツ管理アプリケーションは、ブロードキャストのためのメディアコンテンツのバージョンを自動的に選択する。他の実施形態においては、メディアコンテンツ管理アプリケーションは、より正確に目標観衆（例えば、目標とする人口統計）に反映するための少なくとも１つのメディアコンテンツのバージョンにおいてカスタマイズする。さらに他の実施形態においては、メディアコンテンツ管理アプリケーションは、ウェブサイトからのフィードバックをユーザに与え、そのユーザはメディアコンテンツをカスタマイズすることができる。そして、ユーザは、カスタマイズされたメディアコンテンツを投稿し、他のユーザから付加的なフィードバックを獲得する。
【０１１２】
いくつかの実施形態において、メディアコンテンツ管理アプリケーションは、ウェブコンテンツを使用してメディアコンテンツの配置を率先して調整する。一実施形態においては、受信するフィードバックに応答し、メディアコンテンツ管理アプリケーションはメディアコンテンツの位置を変更すべきことを決定する。メディアコンテンツ管理アプリケーションは、そのメディアコンテンツを異なる広告グループに配置し、そのメディアコンテンツを異なる時間スロットに配置し、そのメディアコンテンツを異なるテレビプログラムに関連付け、そのメディアコンテンツを特定のテレビプログラムに関連付け、あるいは、そのメディアコンテンツを異なる目標観衆（例えば、異なる人口統計）に関連付ける。メディアコンテンツ管理アプリケーションは、ウェブコンテンツを使用し、ブロードキャストされる前にメディアコンテンツの配置を調整する。
【０１１３】
いくつかの実施形態において、メディアコンテンツ管理アプリケーションは、メディアコンテンツの１つのバージョンを特定の広告グループ、時間スロット、テレビプログラム、及び／又は人口統計に配置し、他のメディアコンテンツを他の特定の広告グループ、時間スロット、テレビプログラム、及び／又は人口統計に配置する。例えば、メディアコンテンツ管理アプリケーションは、特定のウェブサイトからのフィードバックをレビューし、メディアコンテンツの複数のバージョンが異なる理由によって明確な（positive）フィードバックを受信するということを確認する。例えば、メディアコンテンツ管理アプリケーションは、特定のバージョンが朝にはより良く作動し、別のバージョンは夜に良くよく作動することを確認する。メディアコンテンツ管理アプリケーションは、メディアコンテンツのどのバージョンがブロードキャストされるかを決定するときに、この情報を考慮に入れる。
【０１１４】
いくつかの実施形態において、メディアコンテンツ管理アプリケーションは、ウェブコンテンツを使用し、メディアコンテンツのアセンブリングにおいて使用されるメディアセグメントを率先的に調整する。メディアコンテンツ管理アプリケーションは、ウェブコンテンツを使用し、メディアコンテンツのアセンブリングに対するメディアセグメントの選択を最適化する。一実施形態においては、フィードバックの受信に応答して、メディアコンテンツ管理アプリケーションは、オーディオの特定部分、ビデオの部分、バックグラウンドオーディオ、ナレーション、イメージ、アニメーション、あるいはグラフィックが、より適切な目標観衆に変更されるべきであることを決定する。そして、メディアコンテンツ管理アプリケーションは、異なるメディアセグメントを選択し、メディアコンテンツをアセンブルする。いくつかの実施形態において、メディアコンテンツ管理アプリケーションは、異なるメディアセグメントを選択するようユーザに促す。いくつかの実施形態において、メディアコンテンツ管理アプリケーションは、メディアコンテンツのアセンブルにおいて使用するための異なるメディアセグメントを推奨する。いくつかの実施形態において、メディアコンテンツ管理アプリケーションは、ユーザによる選択に対するメディアコンテンツ数を検索する。
【０１１５】
すでに述べたように、メディアコンテンツ管理アプリケーションは、メディアコンテンツのバージョンのコストを最適化する。メディアコンテンツ管理アプリケーションは、意味的判断基準をメディアコンテンツのバージョンの各々にアタッチし、ユーザがメディアコンテンツのバージョンのコストを管理することを可能にする。アタッチされた意味的判断基準に基づいたメディアコンテンツのバージョンの各々は、ユーザに提供される。フィードバックの受信あるいはウェブコンテンツを伴った特定のウェブサイトのモニタリングによって、メディアコンテンツ管理アプリケーションは、コストによってメディアコンテンツのバージョンを変更する（例えば、リソースの割り当てをシフトするなど）。例えば、メディアコンテンツ管理アプリケーションは、特定のメディアコンテンツのバージョンが否定的なフィードバックを受信したことを確認する。応答して、メディアコンテンツ管理アプリケーションは、例えば、異なる演技者を伴ったメディアセグメントを選択することによってオンカメラ演技者のコストを減らしたり、異なったバックグラウンドオーディオセグメントを選択することによって音楽のコストを増やしたりする。
【０１１６】
いくつかの実施形態において、メディアコンテンツ管理アプリケーションは、ウェブコンテンツを使用し、メディアコンテンツのバージョンの配置を反動的に調整する。一実施形態においては、特定のウェブサイトからのフィードバックを受信し、メディアコンテンツ管理アプリケーションは、メディアコンテンツの位置が変更されるべきことを確認する。メディアコンテンツ管理アプリケーションは、メディアコンテンツをブロードキャストラインアップから取り除き、そのメディアコンテンツを異なる広告グループに配置し、そのメディアコンテンツを異なる時間スロットに配置し、そのメディアコンテンツを異なるテレビプログラムに関連付け、そのメディアコンテンツを特定のテレビプログラムに関連付け、あるいは、そのメディアコンテンツを異なる目標観衆（例えば、異なる人口統計）に関連付ける。メディアコンテンツ管理アプリケーションは、ウェブコンテンツを使用し、メディアコンテンツのバージョンがブロードキャストされた後に（しかし、例えばそのメディアコンテンツのバージョンの後続するブロードキャストに先行して）、そのメディアコンテンツの配置を調整する。
【０１１７】
いくつかの実施形態において、メディアコンテンツ管理アプリケーションは、反動的にメディアコンテンツの１つのバージョンを特定の広告グループ、時間スロット、テレビプログラム、及び／又は人口統計に配置し、メディアコンテンツの他のバージョンを他の特定の広告グループ、時間スロット、テレビグループ、及び／又は人口統計に配置する。例えば、メディアコンテンツ管理アプリケーションは、特定のウェブサイトからのフィードバックをレビューし、メディアコンテンツの複数のバージョンが異なる理由により明確な（positive）フィードバックを受信することを確認する。例えば、メディアコンテンツ管理アプリケーションは、特定のバージョンは朝により良く作動し、他のバージョンは夜により良く作動することを確認する。メディアコンテンツ管理アプリケーションは、メディアコンテンツのバージョンがブロードキャストされた後であっても、この情報を考慮に入れる。
【０１１８】
いくつかの実施形態において、メディアコンテンツ管理アプリケーションは、ウェブコンテンツを使用し、メディアコンテンツのアセンブリングにおいて使用されるメディアセグメントを反動的に調整する。メディアコンテンツ管理アプリケーションは、例えば、ウェブサイト上のメディアコンテンツのバージョンが否定的なフィードバックを受信したときにオプションをユーザに提供する。これらのオプションは、メディアコンテンツの新しいバージョンを生成することを含む。一実施形態においては、フィードバックの受信に応答してメディアコンテンツ管理アプリケーションは、オーディオの特定の部分、ビデオの部分、バックグラウンドオーディオ、ナレーション、イメージ、アニメーション、あるいはグラフィックがより適切な目標観衆に変更されるべきことを決定する。そして、メディアコンテンツ管理アプリケーションは、異なるメディアセグメントを選択し、メディアコンテンツをアセンブルする。いくつかの実施形態において、メディアコンテンツ管理アプリケーションは、異なるメディアセグメントを選択するようユーザに促す。いくつかの実施形態において、メディアコンテンツ管理アプリケーションは、メディアコンテンツのアセンブリングにおいて使用される異なるメディアセグメントを推奨する。いくつかの実施形態において、メディアコンテンツ管理アプリケーションは、ユーザによる選択のためのメディアセグメントの数を検索する。メディアコンテンツの新しいバージョンは、メディアコンテンツの現在ブロードキャストされたバージョンに置き換える。
【０１１９】
いくつかの実施形態において、メディアコンテンツ管理アプリケーションは、ウェブコンテンツから受信された情報を解釈し、これをコンテンツ管理アプリケーション又は適切な記憶デバイスに格納する。例えば、トゥイーナー（tweener）は特定のタイプのバックグラウンドオーディオにはあまり反応しないということを決定したことに応答して、メディアコンテンツ管理アプリケーションは適応的なルールを作成し、このユーザに対してアセンブルされた後続のメディアコンテンツがこれらのルールに従っているかどうかをチェックする（例えば、その特定のタイプのバックグランドオーディオを有していないなど）。他の実施形態においては、ESPN.comが２５才以上の男性の人口統計に的確な表現であると決定したことに応答して、メディアコンテンツ管理アプリケーションは、ユーザに対する推奨リストに特定のウェブサイトを追加することができる。どのメディアセグメントが特定のプログラムと共により良好に作動するか、どのメディアセグメントが特定の広告グループと共により良好に作動するか、どのメディアセグメントが特定の人口統計と共により良好に作動するか、どのメディアコンテンツのバージョンが特定の人口統計と共により良好に作動するかなどといった、あらゆる適切な情報が格納されることに留意すべきである。
【０１２０】
したがって、メディアコンテンツ管理アプリケーションは、ウェブコンテンツからの情報をモニタリング又は受信することによって１又は複数のメディアコンテンツのバージョンについての実時間フィードバックをユーザが受信することを可能にする。ウェブサイトに配置されたメディアコンテンツは、メディアコンテンツのブロードキャストに先行するメディアコンテンツをテストするために使用される。いくつかの実施形態において、メディアコンテンツのブロードキャスティング及びその関連評価の観察（例えば、ニールセン評価、フィードバック等）とは対照的に、メディアコンテンツ管理アプリケーションは、ウェブサイトのメディアコンテンツをモニタリングすることによって、あるいはウェブサイトからメディアコンテンツに関連する情報を受信することよって、ユーザが迅速かつ効果的にフィードバックを受信することを可能にする。ウェブサイト上に配置されたメディアコンテンツから受信されるフィードバックに基づいて、メディアコンテンツ管理アプリケーションは、ブロードキャストに先行する、メディアコンテンツのアセンブリングに先行する、あるいはブロードキャストの後のメディアコンテンツを調整する（例えば、コマーシャルを引き抜き、そのコマーシャルの新しいバージョンを挿入するなど）。他の実施形態においては、ウェブサイトに置かれたメディアコンテンツから受信したフィードバックに基づいて、メディアコンテンツ管理アプリケーションは、ブロードキャストに対するメディアコンテンツの複数のバージョンからそのメディアコンテンツのバージョンを選択する。
【０１２１】
実施形態においては、ウェブコンテンツが使用されてブロードキャストメディアコンテンツが調整されているが、他の適切な情報ソースを使用することもできる。例えば、セルラーホン上の広告を使用して特定の人口統計についての情報を得ることができ、ブロードキャストされるべきメディアコンテンツのテストもしくはプレビューを行うことができる。他の実施形態においては、利用可能なリッチメディア（rich media）であるあらゆる適切な環境が使用される（例えば、ウィンドウズメディアプレーヤーを有するパーソナル携帯情報機器、ストリーミングメディアを受信可能なセルラーホン、ストリーミングメディアを受信可能なゲームコンソール等）。
【０１２２】
ここで述べられた実施形態は、特定のウェブサイト上にウェブコンテンツを配置し、ここではウェブサイトの人口統計がブロードキャストに対する目標観衆の人口統計と類似しているが、あらゆる適切なウェブサイトを使用することができる。例えば、ウェブコンテンツは、一般ニュースウェブサイト（例えば、CNN.com あるいは、NYTimes.com）に置くこともでき、メディアコンテンツ管理アプリケーションは、メディアコンテンツの特定バージョンが受信するクリック数、あるいはメディアコンテンツの特定バージョンが受信する再生又は巻戻しの数をモニタリングすることができる。
【０１２３】
上述したように、本発明のメディアコンテンツ管理アプリケーションは、ユーザが意味的判断基準を使ってメディアコンテンツを生成し、カスタマイズし、及び／又は配布することを可能にする。当業者であれば、どうやって標準アルゴリズムを使って本願において与えられた情報に基づいた本発明のプロセスを実施するか理解するであろう。
【０１２４】
本発明は、構成の詳細、及び、後述する記述又は図面に記載された構成要素の配置に対する適用に限定されるものではない。本発明は、他の実施形態を実施することもでき、多様な方法で実行可能である。また、ここでの語法及び用語は説明目的のものと理解すべきであって、制限として考えるべきではない。
【０１２５】
以上より、当業者であれば、本開示が基礎としている概念は、本発明のいくつかの目的を実行するための他の構造、方法、およびシステムの設計のための基礎として容易に利用可能であることを評価するであろう。それゆえ、特許請求の範囲は、本発明の技術思想及び範囲から逸脱しない限り、その均等となる構成を含むものとして理解されることは重要である。
【０１２６】
本発明は、上述の例示的実施形態において記述及び説明されたが、本開示は、例示の方法に過ぎず、本発明の実施詳細における多くの変更が本発明の技術思想及び範囲から逸脱することなく可能であり、本発明は後述の特許請求の範囲によってのみ制限されると理解されるべきである。
【図１】
0005908365.tif 000002
【図２】
0005908365.tif 000003
【図３】
0005908365.tif 000004
【図４】
0005908365.tif 000005
【図５】
0005908365.tif 000006
【図６】
0005908365.tif 000007
【図７】
0005908365.tif 000008
【図８】
0005908365.tif 000009
【図９】
0005908365.tif 000010
【図１０】
0005908365.tif 000011
【図１１】
0005908365.tif 000012
【図１２】
0005908365.tif 000013
【図１３】
0005908365.tif 000014
【図１４】
0005908365.tif 000015